(57)【要約】【課題】特定液体が容器内の一部に存在し、特定液体の液面が変動する水槽デバイスにおいて、所望の演出が行われない事態の発生を防止することを目的とする。【解決手段】下層液体３２０が容器３０１内の一部に存在し、下層液体３２０の液面が変動する水槽デバイス２８は、給水口５１５ａが下層液体３２０中の液面近傍に位置するように容器３０１内に設置され、下層液体３２０を給水口５１５ａから吐水口５１３ａへ送り出すことによって下層液体３２０を上層液体３２５中に噴出させる上側ポンプ演出ユニット３５１を備え、上側ポンプ演出ユニット３５１は特定演出に際して下層液体３２０の上層液体３２５中への噴出を行うために作動し、この作動は、上側ポンプ噴出演出や下側ポンプ噴出演出の終了後または電源投入後または前面扉５が閉じられた後の規定時間内では禁止されている。【選択図】図１８
2018134313.tif 000002
【特許請求の範囲】
【請求項１】
特定液体が容器内の一部に存在し、前記特定液体の液面が変動する水槽デバイスを備える遊技機において、
前記水槽デバイスは、給水口が前記特定液体中の液面近傍に位置するように前記容器内に設置され、前記特定液体を前記給水口から吐水口へ送り出すことによって前記特定液体を特定位置に噴出させるポンプを備え、
前記ポンプは、特定演出に際して前記特定液体の前記特定位置への噴出を行うために作動するものであり、
前記ポンプの作動は、前記特定液体の液面が変動するような演出が終了してから、または、前記遊技機の電源が投入されてから、または、前記遊技機の前面扉が閉じられてから、予め定められた時間が経過するまでの規定時間内では禁止されている
ことを特徴とする遊技機。
【請求項２】
前記特定液体の液面が変動するような演出として、前記特定液体または特定物を前記容器内の前記特定液体が存在する領域に噴出させる特別演出があり、
前記ポンプの作動は、前記特別演出が終了してからの前記規定時間内では禁止されている
ことを特徴とする請求項１に記載の遊技機。
【請求項３】
前記吐水口から前記給水口にかけての前記特定液体の流路に逆止弁が設けられていることを特徴とする請求項１または２に記載の遊技機。
【請求項４】
前記給水口より前記容器の底面側に開口部を形成するとともに前記給水口を取り囲むガード部材が設けられており、
前記特定液体は前記ガード部材により前記開口部から前記給水口に流入するようになっている
ことを特徴とする請求項１ないし３のいずれか１項に記載の遊技機。
【請求項５】
前記水槽デバイスは、
前記容器内における位置が変化することにより所定演出を行う可動構造体と、
前記可動構造体の位置を検出する位置検出部と
をさらに備え、
前記可動構造体は前記位置検出部による検出結果に基づいて位置制御が行われるものであり、
前記可動構造体は、前記遊技機の電源の投入タイミング、または、前記遊技機の前面扉の開閉タイミングにおいて、前記位置検出部による検出結果に基づいて初期動作を行う
ことを特徴とする請求項１ないし４のいずれか１項に記載の遊技機。
【発明の詳細な説明】
【技術分野】
【０００１】
本発明は、特定液体が容器内の一部に存在し、前記特定液体の液面が変動する水槽デバイスを備える遊技機に関する。
【背景技術】
【０００２】
遊技機として、スロットマシンや、パチンコ遊技機などがある。この種の遊技機において、表示装置の前方に水槽デバイスを設け、水槽デバイスにより演出を行う遊技機が知られており、このような遊技機として例えば特許文献１に開示されているものがある。
【０００３】
特許文献１に開示されている遊技機における水槽デバイスは、内部下側に液体を貯留し、かつ、内部上側を空気層としている水槽と、水槽内部下側に貯留されている液体を水槽内部上側の空気層の位置まで汲み上げる揚水装置と、揚水装置によって汲み上げられた液体を水槽内部上側の空気層へ向けて霧状に噴出される噴出装置とを備えている。
【先行技術文献】
【特許文献】
【０００４】
【特許文献１】特開２００７−６１５９５号公報（段落０１２３、図２１など）
【発明の概要】
【発明が解決しようとする課題】
【０００５】
しかしながら、容器内部下側から液体が汲み上げられ、汲み上げられた液体が水槽内部上側の空気層へ向けて霧状に噴出された場合、スロットマシンの前面扉が閉じられた場合など、容器内部下側の液体の液面が変動してしまい、揚水装置の給水口付近の液体が減ってしまう。このため、容器内部下側の液体の液面が変動しているときに、揚水装置が容器内部下側に貯留されている液体を汲み上げようとしても、揚水装置は所望の液体以外の空気層の空気を取り込んでしまい、所望の演出を行うことができない虞がある。
【０００６】
本発明は、上記課題に鑑みてなされたものであり、特定液体が容器内の一部に存在し、特定液体の液面が変動する水槽デバイスにおいて、所望の演出が行われない事態の発生を防止することを目的とする。
【課題を解決するための手段】
【０００７】
上記した目的を達成するために、本発明にかかる遊技機は、特定液体が容器内の一部に存在し、前記特定液体の液面が変動する水槽デバイスを備える遊技機において、前記水槽デバイスは、給水口が前記特定液体中の液面近傍に位置するように前記容器内に設置され、前記特定液体を前記給水口から吐水口へ送り出すことによって前記特定液体を特定位置に噴出させるポンプを備え、前記ポンプは、特定演出に際して前記特定液体の前記特定位置への噴出を行うために作動するものであり、前記ポンプの作動は、前記特定液体の液面が変動するような演出が終了してから、または、前記遊技機の電源が投入されてから、または、前記遊技機の前面扉が閉じられてから、予め定められた時間が経過するまでの規定時間内では禁止されていることを特徴としている。
【０００８】
この構成によると、ポンプの作動は特定液体の液面の変動が落ち着いてから行われるので、ポンプの作動時にポンプが給水口から特定液体以外の意図しない物（例えば、特定液体以外の液体、空気）を取り込むことを抑えることができる。また、特定液体の液面の変動に起因する圧力変化により給水口から吐水口にかけての流路内の特定液体の液面の位置が変化し、ポンプの作動開始からポンプによる特定液体の噴出までの時間が変化するのを防ぐことができる。つまり、ポンプの作動開始からポンプによる特定液体の噴出までの時間の一定化を図ることができる。これらにより、ポンプを用いた演出が所望の演出にならない事態の発生を防止することができる。
【０００９】
また、前記特定液体の液面が変動するような演出として、前記特定液体または特定物を前記容器内の前記特定液体が存在する領域に噴出させる特別演出があり、前記ポンプの作動は、前記特別演出が終了してからの前記規定時間内では禁止されているとしてもよい。
【００１０】
特定液体または特定物を容器内の特定液体が存在する領域に噴出させる特別演出では、特定液体の液面の変動が大きいことが想定される。このため、この構成によると、ポンプの作動時にポンプが給水口から特定液体以外の意図しない物（例えば、特定液体以外の液体、空気）を取り込むことを効果的に抑えることができるとともに、ポンプの作動開始からポンプによる特定液体の噴出までの時間の一定化を効果的に図ることができる。
【００１１】
また、前記吐水口から前記給水口にかけての前記特定液体の流路に逆止弁が設けられているとしてもよい。
【００１２】
この構成によると、ポンプの作動開始からポンプによる特定液体の噴出までの時間の一定化をより効果的に図ることができる。
【００１３】
また、前記給水口より前記容器の底面側に開口部を形成するとともに前記給水口を取り囲むガード部材が設けられており、前記特定液体は前記ガード部材により前記開口部から前記給水口に流入するようになっているとしてもよい。
【００１４】
この構成によると、ポンプの作動時にポンプが給水口から特定液体以外の意図しない物（例えば、特定液体以外の液体、空気）を取り込むことをより効果的に抑えることができる。
【００１５】
また、前記水槽デバイスは、前記容器内における位置が変化することにより所定演出を行う可動構造体と、前記可動構造体の位置を検出する位置検出部とをさらに備え、前記可動構造体は前記位置検出部による検出結果に基づいて位置制御が行われるものであり、前記可動構造体は、前記遊技機の電源の投入タイミング、または、前記遊技機の前面扉の開閉タイミングにおいて、前記位置検出部による検出結果に基づいて初期動作を行うとしてもよい。
【００１６】
この構成によると、位置検出部による検出結果に基づいて位置制御が行われる可動構造体については、電源の投入タイミングまたは前面扉の開閉タイミングにおいて必要な初期動作が実行され、必要な初期動作が行われないことによる不具合が生じることを防止することができる。
【図面の簡単な説明】
【００１７】
【図１】本発明の実施形態にかかる遊技機の一例であるスロットマシンの斜視図である。
【図２】図１の水槽デバイスを正面から見た概略図である。
【図３】図１の水槽デバイスを背面から見た概略図である。
【図４】（ａ）は図１の水槽デバイスの容器の前面蓋の斜視図であり、（ｂ）は図１の水槽デバイスの容器の容器本体の斜視図である。
【図５】図２の浮き演出ユニットを説明するための図である。
【図６】図２の浮き演出ユニットを説明するための図である。
【図７】（ａ）は図２の浮き部材の平面図であり、（ｂ）は浮き部材の正面図であり、（ｃ）は浮き部材の右側面図であり、（ｄ）は浮き部材の底面図であり、（ｅ）はのＡ−Ａ断面図であり、（ｆ）は（ｃ）のＢ−Ｂ断面図である。
【図８】図２の水槽デバイスの浮き部材と容器との配置関係を説明するための図である。
【図９】（ａ），（ｂ）は図２の浮き演出ユニットの浮き演出駆動部を説明するための図である。
【図１０】（ａ）は図２の水槽デバイスの上側ポンプ演出ユニットを含む一部分の正面図であり、（ｂ）は（ａ）のＣ−Ｃ断面の概略図である。
【図１１】図２の水槽デバイスの上側ポンプ演出ユニットの駆動部分を説明するための図である。
【図１２】図２の水槽デバイスの上側ポンプ演出ユニットによる上側ポンプ噴出演出を説明するための図である。
【図１３】（ａ）は図２の水槽デバイスの下側ポンプ演出ユニットを含む一部分の正面図であり、（ｂ）は（ａ）のＤ−Ｄ断面の概略図である。
【図１４】図２の水槽デバイスの下側ポンプ演出ユニットの駆動部分を説明するための図である。
【図１５】図２の水槽デバイスの下側ポンプ演出ユニットによる下側ポンプ噴出演出を説明するための図である。
【図１６】図１のスロットマシンの電気的構成を示すブロック図である。
【図１７】図１６のメイン制御基板およびサブ制御基板の機能を示す機能ブロック図である。
【図１８】図２の水槽デバイスの上側ポンプ演出ユニットの作動の禁止期間を説明するための図である。
【図１９】図２の水槽デバイスの上側ポンプ演出ユニットの一変形例を示す図であり、（ａ）は水槽デバイスの上側ポンプ演出ユニットを含む一部分の正面図であり、（ｂ）は（ａ）のＥ−Ｅ断面の概略図である。
【図２０】図２の水槽デバイスの上側ポンプ演出ユニットの他の変形例を示す図であり、（ａ）は上側ポンプ演出ユニットの動作停止時（逆流防止状態）を示す図であり、（ｂ）は上側ポンプ演出ユニットの動作時を示す図である。
【発明を実施するための形態】
【００１８】
本発明の実施形態について、図１から図１８を参照して説明する。
【００１９】
（構成）
本実施形態に係る遊技機の一例であるスロットマシン１は、予め設定された複数の遊技状態のうちのいずれかの遊技状態において、メダルなどの遊技媒体が規定数（例えば、３枚）投入され、後述するスタートスイッチ１９が操作されることを条件に一回の遊技が実行開始されるものであり、図１のように構成されている。
【００２０】
筐体３の前面は、前面扉５により開閉自在に閉塞され、この前面扉５のほぼ中央高さの位置に操作板７が配設される。操作板７の上方に正面板９が配設されている。正面板９には横長矩形の表示窓１１が設けられている。また、表示窓１１の内側には、複数種類の図柄を予め定められた順序で可変表示する左・中・右リール１３Ｌ，１３Ｍ，１３Ｒが配置されている。左・中・右リール１３Ｌ，１３Ｍ，１３Ｒには、例えば、複数種類の図柄が合計２０個、所定の配列でそれぞれ設けられている。
【００２１】
また、各図柄には、０番から１９番までのコマ番号が順に付されている。この場合、例えば、コマ番号０番から１９番までの図柄が印刷されたリールテープが各リール１３Ｌ，１３Ｍ，１３Ｒの周面に貼り付けられている。そして、各リール１３Ｌ，１３Ｍ，１３Ｒが回転すると、コマ番号１９番、１８番、…、０番、１９番、…の予め定められた順に複数の図柄がそれぞれ表示窓１１に変動表示される。表示窓１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示窓１１に停止表示されるようになっている。なお、この実施形態では、入賞判定に使用される表示窓１１内の入賞ラインとして、左リール１３Ｌの下段、中リール１３Ｍの下段、右リール１３Ｒの下段により構成されるいわゆる下段ラインが設定されている。
【００２２】
また、各リール１３Ｌ，１３Ｍ，１３Ｒを独立して回転駆動できるように、各リール１３Ｌ，１３Ｍ，１３Ｒそれぞれには、ステッピングモータで構成されるリールモータ１４Ｌ，１４Ｍ，１４Ｒ（図１６参照）が連結されている。なお、各リール１３Ｌ，１３Ｍ，１３Ｒと各々のリールモータ１４Ｌ，１４Ｍ，１４Ｒとで構成されたリールユニット（図示省略）によりスロットマシン１の表示手段が構成されている。
【００２３】
更に、操作板７には、内部に貯留されているクレジットメダルから１枚ずつのメダル投入を指示するためのベットスイッチ１５、クレジットメダルから１ゲーム（遊技）あたりの最大投入枚数（ここでは３枚に設定されている）のメダル投入を指示するための最大ベットスイッチ１７、各リール１３Ｌ，１３Ｍ，１３Ｒを回転させて各図柄の可変表示を開始させるレバー状のスタートスイッチ１９、左・中・右リール１３Ｌ，１３Ｍ，１３Ｒの回転をそれぞれ停止させて各図柄の可変表示を停止させる左・中・右ストップスイッチ２１Ｌ，２１Ｍ，２１Ｒ（停止操作手段）、クレジットメダルを払い出すための精算スイッチ２３、およびメダル投入口２５が設けられている。なお、この実施形態では、１ゲームに必要なメダル投入数（規定数）は、３枚の１種類が設定されている。また、各リール１３Ｌ，１３Ｍ，１３Ｒにより複数種類の図柄を可変表示する複数の可変表示列が形成されており、各ストップスイッチ２１Ｌ，２１Ｍ，２１Ｒは、各リール１３Ｌ，１３Ｍ，１３Ｒそれぞれに対応して設けられている。
【００２４】
また、正面板９の上方のほぼ中央には、後述する液晶表示器２７の表示内容と一体となって、または、独立して演出を行う水槽デバイス２８が設けられている。
【００２５】
水槽デバイス２８には、図２に示すように、容器３０１と、容器３０１内に収容された２種類の液体３２０，３２５が設けられている。また、水槽デバイス２８には、図２に示すように、前方側に浮きラインガイド３３０ａを有するとともに浮き用位置検出センサ２８ａを有する浮き演出ユニット３３０が容器３０１内に設けられている。また、水槽デバイス２８には、図２に示すように、上側ポンプ演出ユニット３５１および下側ポンプ演出ユニット３５３を有するポンプ演出ユニット３５０が容器３０１内に収容されている。なお、図２では、浮き演出ユニット３３０とポンプ演出ユニット３５０とは容器３０１の後述する前面蓋３０３の背後に配置されているが、図の簡略化のため浮き演出ユニット３３０とポンプ演出ユニット３５０とは実線で示している。なお、図５、図６、図１０（ａ）および図１３（ａ）についても同様である。
【００２６】
浮き演出ユニット３３０は、図３に示すように、容器３０１の後述する容器本体３０５の背面側に設けられた浮き演出駆動部３６０を備えている。
【００２７】
ポンプ演出ユニット３５０は、図３に示すように、容器３０１の後述する容器本体３０５の背面側に設けられたポンプ演出駆動部３７０を備え、ポンプ演出駆動部３７０は、上側ポンプ演出ユニット３５１の上側ポンプ演出駆動部３７１と、下側ポンプ演出ユニット３５３の下側ポンプ演出駆動部３７３とを有する。
【００２８】
容器３０１は、図４（ａ）に示す略平板状をした前面蓋３０３と、図４（ｂ）に斜視図を示す前方に開放された略箱状をした容器本体３０５とを備えており、容器本体３０５には、上側ポンプ演出ユニット３５１の後述するタービン５０３を嵌め込むための貫通孔３０７が形成されているとともに、下側ポンプ演出ユニット３５３の後述するタービン７０３を嵌め込むための貫通孔３０９が設けられている。容器３０１は、前面蓋３０３を、この前面蓋３０３の面３０３ａと反対側の面が容器本体３０５の枠部分３０５ａの面３０５ｂに当接するように、容器本体３０５の前方側から容器本体３０５に取り付けることによって組み立てられる。このようにして組み立てられた容器３０１は内部空間を有する。なお、前面蓋３０３と容器本体３０５とは容器３０１の内部空間が容器３０１外部から視認可能となるように例えばポリカーボネートなどの無色透明の合成樹脂により形成されている。ただし、前面蓋３０３と容器本体３０５とは容器３０１の内部空間が容器３０１外部から視認可能であれば無色透明に限定されるものではなく有色透明の材料により形成されていてもよい。
【００２９】
容器３０１内に収容された２種類の液体３２０，３２５は互いに比重が異なっている。この比重の違いにより、比重が大きい方の液体（特定液体）３２０が沈殿することによって容器３０１内の下側に比重が大きい方の液体３２０の液層が形成されるとともに、容器３０１内の上側に比重が小さい方の液体３２５の液層が形成される（図２参照）。この実施形態では、比重が大きい方の液体３２０を有色透明な液体とし、比重が小さい方の液体３２５を無色透明な液体とするが、これに限定されるものではない。なお、以下では、比重が大きい方の液体３２０を「下層液体３２０」と呼び、比重が軽い方の液体３２５を「上層液体３２５」と呼ぶ。
【００３０】
浮き演出ユニット３３０は、図５、図６に示すように、浮き部材４０１と、一端側に第１止め部４０３ａが形成された浮きアーム４０３と、第２止め部４０５と、紐状部材４０７と、滑車機構４０９とを備える。
【００３１】
浮き部材４０１は容器３０１内の液体に対する浮力を有するとともに、容器３０１内の上下方向に移動可能になっている。なお、浮き部材４０１の構造の詳細については図７を用いて後述する。
【００３２】
浮きアーム４０３は略棒状をしている。浮きアーム４０３には前後方向に貫通した孔４０３ｂが設けられているとともに、紐状部材４０７の一端側が取り付けられる第１止め部４０３ａを形成する前後方向に貫通した孔が設けられている。浮きアーム４０３は、孔４０３ｂに容器本体４０３に取り付けられた丸棒部材４０３ｃを挿通することによって、容器３０１の容器本体３０５に取り付けられており、丸棒部材４０３ｃを回動の中心として回動可能になっている。また、浮きアーム４０３の他端側には円環状部４０３ｄが形成されている。浮きアーム４０３の円環状部４０３ｄには磁石でできた略円柱状のマグネット部４０３ｅが挿入されている。
【００３３】
第２止め部４０５は、紐状部材４０７の他端側が取り付けられるものであり、丸棒の形状をしており、容器本体３０５に固定配置されている。
【００３４】
紐状部材４０７は、その一端側が浮きアーム４０３の第１止め部４０３ａに取り付けられ、その他端側が第２止め部４０５に取り付けられており、その材質は例えばナイロン、ポリエチレンなどである。紐状部材４０７はその一端側が取り付けられた第１止め部４０３ａの動作に従って容器３０１内の位置が変動する。浮き部材４０１は、紐状部材４０７の一端側（第１止め部４０３ａに取り付けられる側）と他端側（第２止め部４０５に取り付けられる側）との間に移動可能に接続されている。
【００３５】
滑車機構４０９は、紐状部材４０７の一端側（第１止め部４０３ａに取り付けられる側）から紐状部材４０７の浮き部材４０１が接続されている部分にかけて設けられており、紐状部材４０７に対する滑車機構を形成するものである。滑車機構４０９は、２つの丸棒部材４０９ａ，４０９ｂからなり、２つの丸棒部材４０９ａ，４０９ｂはそれぞれ容器本体３０５に配置されている。この実施形態では、紐状部材４０７の一端側の丸棒部材４０９ａは浮き部材４０１側の丸棒部材４０９ｂより上側に配置されている。なお、滑車機構４０９は、２つの丸棒部材４０９ａ，４０９ｂで構成する代わりに、１つの丸棒部材で構成するようにしてもよく、３つ以上の丸棒部材で構成するようにしてもよい。
【００３６】
続いて、浮き部材４０１の構造について図７を参照して説明する。なお、図７における説明で記載する「表」、「裏」は、それぞれ、浮き部材４０１が容器３０１に収容された状態において、容器３０１の前面蓋３０３側、容器本体３０５側を指す。また、図７における説明で記載する「上」、「下」、「右」、「左」は、それぞれ、浮き部材４０１が容器３０１に収容された状態において、容器３０１を正面から見て、上、下、右、左を指す。
【００３７】
浮き部材４０１は、浮き上部４３１と、浮きリング部４３３と、浮き下表部４３５と、浮き下裏部４３７とを有する。
【００３８】
浮き上部４３１は、正面図において上側が曲線の略半円状をし（図７（ｂ）参照）、平面図において略楕円状をし（図７（ａ）参照）、右側面図において上側が曲線の略半楕円状をした（図７（ｃ）参照）、半扁球状をしている。そして、浮き上部４３１は、下方向に開放している（図７（ｅ），（ｆ）参照）。また、浮き上部４３１の下部面には外側より内側が高くなった段差部４３１ａが形成されている（図７（ｅ），（ｆ）参照）。
【００３９】
浮きリング部４３３は、略楕円環状をし（図７（ｂ），（ｃ），（ｅ），（ｆ）参照）、浮き上部４３１と、浮き下表部４３５および浮き下裏部４３７により構成される浮き下部との間に配置されるものである。そして、浮きリング部４３３の外側面の上下方向の略中央に全周にわって凸部４３３ａが形成されている（図７（ｅ），（ｆ）参照）。
【００４０】
浮き下表部４３５は、浮き本体下表部４３５ａと浮き本体下表部４３５ａから下方に延びた紐接続表部４３５ｂとを一体形成したものである（図７（ｂ），（ｃ）参照）。浮き本体下表部４３５ａは、正面図において下側が曲線の略半円状をし（図７（ｂ）参照）、底面図において表側が曲線の半楕円形状をし（図７（ｄ）参照）、右側面図において表側が曲線の略四半楕円形状をした（図７（ｃ）参照）、四半扁球状をしている。そして、浮き下表部４３５は、上方向および裏方向に開放している（図７（ｅ），（ｆ）参照）。また、浮き本体下表部４３５ａの上部面には外側より内側が低くなった段差部４３５ｃが形成され（図７（ｅ），（ｆ）参照）、浮き本体下表部４３５ａの表面（浮き部材４０１が組み立てられた状態における外面の一部となる面）と裏面（浮き部材４０１が組み立てられた状態における内面の一部となる面）とを繋ぐ裏方向に向いた面（容器本体３０５の前面蓋３０３と対向する面３０５ｃ（図８参照）と向きあった面）には裏面（浮き部材４０１が組み立てられた状態における内面の一部となる面）側が削り取られたような段差部４３５ｄが形成されている（図７（ｅ），（ｆ）参照）。紐接続表部４３５ｂの下部４３５ｅの裏面（後述する紐接続裏部４３７ｂと対向する側の面）には下方の厚みが薄くなるように段差部４３５ｆが形成され、その段差部４３５ｆには略円柱状をした凹部４３５ｇが形成されている（図７（ｅ）参照）。
【００４１】
浮き下裏部４３７は、浮き本体下裏部４３７ａと浮き本体下表部４３７ａから下方に延びた紐接続裏部４３７ｂとを一体形成したものである（図７（ｃ）参照）。浮き本体下裏部４３７ａは、正面から見た場合において下側が曲線の略半円状をし、底面図において裏側が曲線の半楕円形状をし（図７（ｄ）参照）、右側面図において裏側が曲線の略四半楕円形状をした（図７（ｃ）参照）、四半扁球状をしている。そして、浮き下裏部４３７は、上方向および表方向に開放している（図７（ｅ），（ｆ）参照）。また、浮き本体下裏部４３７ａの上部面には外側より内側が低くなった段差部４３７ｃが形成され（図７（ｅ）参照）、浮き本体下裏部４３７ａの裏面（浮き部材４０１が組み立てられた状態における外面の一部となる面）と表面（浮き部材４０１が組み立てられた状態における内面の一部となる面）とを繋ぐ表方向に向いた面（前面蓋３０３の容器本体３０５と対向する面３０３ｂ（図８参照）と向きあった面）には裏面（浮き部材４０１が組み立てられた状態における外面の一部となる面）側が削り取られたような段差部４３７ｄが形成されている（図７（ｅ），（ｆ）参照）。紐接続裏部４３７ｂの下部４３７ｅの表面（紐接続表部４３５ｂと対向する側の面）には下方の厚みが薄くなるように段差部４３７ｆが形成され、その段差部４３７ｆには表方向（紐接続表部４３５ｂの方）に延びた略円柱状をした凸部４３７ｇが形成されている（図７（ｃ），（ｅ），（ｆ）参照）。
【００４２】
浮き下裏部４３７の段差部４３７ｄが浮き下表部４３５の段差部４３５ｄに嵌り込み、浮き下裏部４３７の凸部４３７ｇの先端部分が浮き下表部４３５の凹部４３５ｇに嵌り込むように、浮き下裏部４３７が浮き下表部４３５に取り付けられる（図７（ｅ），（ｆ）参照）。また、浮きリング部４３３の凸部４３３ａが浮き上部４３１の段差部４３１ａに浮き上部４３１の下側から嵌り込むように、浮きリング部４３３の凸部４３３ａが浮き下表部４３５の段差部４３５ｃと浮き下裏部４３７の段差部４３７ｃにこれらの上側から嵌り込むように、浮きリング部４３３が浮き上部４３１、浮き下表部４３５、浮き下裏部４３７に取り付けられる（図７（ｅ），（ｆ）参照）。このようにして組み立てられた浮き部材４０１には、浮き下表部４３５の段差部４３５ｆと、浮き下裏部４３７の段差部４３７ｆと、浮き下裏部４３７の凸部４３７ｇにより取り囲まれる、挿通孔４１１が形成される（図７（ｅ）参照）。また、このようにして組み立てられた浮き部材４０１の球状部分では中空になっているので、浮き部材４０１は容器３０１に収容される液体に対して浮力を有している。
【００４３】
紐状部材４０７は挿通孔４１１に挿通され、浮き部材４０１は紐状部材４０７に摺動可能に接続されることになる。
【００４４】
浮き部材４０１の浮きリング部４３３の短径の２点間の距離（図７（ａ），（ｃ）における点ａと点ｂとの間の距離：容器３０１を上から見て浮き部材４０１の最も幅が狭い部分の距離）は、例えば、容器３０１を組み立てた状態における前面蓋３０３の容器本体３０５と対向する面（容器の第１内側面）３０３ｂと、容器本体３０５の前面蓋３０３と対向する面（容器の第２内側面）３０５ｃとの間の距離より、浮き部材４０１が容器３０１で上下方向に移動可能なように小さくなっており、例えば、浮き部材４０１が容器３０１で上下方向に移動可能な程度に若干小さくなっている（図８参照）。また、浮き部材４０１の浮きリング部４３３の長径の２点間の距離（図７（ｂ），（ｃ）における点ｃと点ｄとの間の距離：容器３０１を上から見て浮き部材４０１の最も幅が広い部分の距離）は、例えば、容器３０１を組み立てた状態における前面蓋３０３の面３０３ｂと、容器本体３０５の面３０５ｃとの間の距離より、浮き部材４０１が容器３０１内で回転（図８中の矢印ｄで示す方向の回転）するのを規制するように、大きくなっている（図８参照）。これにより、浮き部材４０１は、容器３０１内での上下方向の滑らかな移動を可能にしつつ、容器３０１内での過剰な回転を抑えることができる。
【００４５】
水槽デバイス２８では、上側ポンプ演出ユニット３５１（波発生手段の一例）により後述する上側ポンプ噴出演出が行われた場合、或いは、下側ポンプ演出ユニット３５３（波発生手段の他の例）により後述する下側ポンプ噴出演出が行われた場合には、これらの演出により発生する波は容器３０１の一側面（図８の面３０５ｄ）から他側面（図８の面３０５ｅ）に向かう方向に進行し、容器３０１の他側面（図８の面３０５ｅ）から一側面（図８の面３０５ｄ）に向かう方向に進行する。したがって、上記のように容器３０１内に配置された浮き部材４０１は、波の進行方向と直交する水平方向よりも当該波の進行方向の方に長い形状をしている（図８参照）。
【００４６】
浮き演出ユニット３３０の浮き演出駆動部３６０は、図９（ａ），（ｂ）に示すように、浮きモータ基部３６１と、収容部３６３と、浮き用位置検出センサ２８ａ、浮き駆動用モータ２８ｂと、カム３６５と、取付部材３６７と、クランクアーム３６９とを備える。
【００４７】
浮きモータ基部３６１は、容器３０１の容器本体３０５に容器３０１の外側から取り付けられる平板状をしており、浮きモータ基部３６１には開口３６１ａが形成されている。
【００４８】
収容部３６３は、浮きモータ基部３６１の容器３０１と対向する面と反対側の面に取り付けられ、収容部３６３にはカム３６５、取付部材３６７およびクランクアーム３６９が収容されているとともに、浮き駆動用モータ２８ｂおよび浮き用位置検出センサ２８ａが取り付けられている。浮き駆動用モータ２８ｂは後述するサブ制御基板７３の浮き駆動制御手段２０４（図１７参照）に駆動制御される。また、浮き用位置検出センサ（位置検出部）２８ａは、浮き演出ユニット（可動構造体）３３０の可動部分の位置（この実施形態ではクランクアーム３６９の位置）を検出するものであり、検出結果に基づく検出信号を後述するサブ制御基板７３の浮き駆動制御手段２０４（図１７参照）に出力する。この浮き用位置検出センサ２８ａによる浮き演出ユニット３３０の位置検出結果に基づいて浮き演出ユニット３３０（この実施形態ではクランクアーム３６９の位置）の位置制御が浮き駆動制御手段２０４により行われる。浮き用位置検出センサ２８ａは例えばフォトセンサにより構成されている。
【００４９】
カム３６５は、略円盤状をし、一方面側で浮き駆動用モータ２８ｂに連結され、浮き駆動用モータ２８ｂにより円盤状の中心を回転軸として回転させられる。
【００５０】
取付部材３６７は、略円盤状をしており、その略円盤状の中心と略円盤状をしたカム３６５の中心とがずれるようにカム３６５に取り付けられている。これにより、取付部材３６５は、カム３６５が回転した場合に、略円盤状をした取付部材３６７の中心と略円盤状をしたカム３６５の中心との間の距離を半径とし、略円盤状をしたカム３６５の中心を中心とした円周上を移動する。
【００５１】
クランクアーム３６９には一方の端部に前後方向に貫通した貫通孔３６９ａが形成されており、クランクアーム３６９は、収容部３６３に取り付けられた丸棒部材３６８が貫通孔３６９ａに挿入されることにより、収容部３６３に取り付けられている。クランクアーム３６９には略中央に前後方向に貫通した貫通孔３６９ｂが形成されており、この貫通孔３６９ｂに取付部材３６７が嵌め込まれる。また、クランクアーム３６９には平板状をした突出部３６９ｃが形成されており、この突出部３６９ｃが浮き用位置検出センサ２８ａの位置検出対象である。また、クランクアーム３６９には、貫通孔３６９ａと反対側の端部には円環状部３６９ｄが形成されており、円環状部３６９ｄは浮きモータ基部３６１の開口３６１ａ内に位置するように配置される。また、クランクアーム３６９と浮きアーム４０３とは、クランクアーム３６９の円環状部３６９ｄと浮きアーム４０３の円環状部４０３ｄとが対向するように、配置されている。クランクアーム３６９の円環状部３６９ｄには磁石でできた略円柱状のマグネット部３６９ｅが挿入されており、マグネット部３６９ｅは浮きアーム側のマグネット部４０３ｅと対向している。マグネット部３６９ｅのマグネット部４０３ｅと対向する側の磁石の極性と、マグネット部４０３ｅのマグネット部３６９ｅと対向する側の磁石の極性とは、この実施形態では逆極性の関係にある。
【００５２】
クランクアーム３６９の円環状部３６９ｄは、カム３６５に連動して取付部材３６７が上記した円周上を移動した場合、丸棒部材３６８を回動の中心として回動し、これに連動して円環状部３６９ｄに挿入されたマグネット部３６９ｅも丸棒部材３６８を回動の中心として回動することになる。マグネット部３６９ｅが丸棒部材３６８を回動の中心として時計回りに回動した場合には、マグネット部４０３ｅは丸棒部材４０３ｃを回動の中心として時計回りに回動し、これに連動して円環状部４０３ｄにマグネット部４０３ｅが挿入された浮きアーム４０３は丸棒部材４０３ｃを回動の中心として時計回りに回動する。一方、マグネット部３６９ｅが丸棒部材３６８を回動の中心として反時計回りに回動した場合には、マグネット部４０３ｅは丸棒部材４０３ｃを回動の中心として反時計回りに回動し、これに連動して円環状部４０３ｄにマグネット部４０３ｅが挿入された浮きアーム４０３は丸棒部材４０３ｃを回動の中心として反時計回りに回動する。なお、浮きアーム４０３が丸棒部材４０３ｃを回動の中心として時計回りまたは反時計回りに回動した場合には、浮きアーム４０３の一端側に形成された第１止め部４０３ａが丸棒部材４０３ｃを回動の中心として時計回りまたは反時計回りに回動する。
【００５３】
浮き駆動用モータ２８ｂによりカム３６５が時計回りに回動させられると、取付部材３６７、クランクアーム３６９、クランクアーム３６９の円環状部３６９ｄに挿入されたマグネット部３６９ｅ、浮きアーム４０３の円環状部３６９ｄに挿入されたマグネット部４０３ｅを介して、浮きアーム４０３の第１止め部４０３ａが丸棒部材４０３ｃを回動の中心として時計回りに回動する。これにより、例えば図５の状態で浮きアーム４０３の第１止め部４０３ａが時計回りの回動を開始した場合には第１止め部４０３ａと丸棒部材４０９ａとの間の距離が長くなる。このため、例えば図５の状態において第１止め部４０３ａが丸棒部材４０３ｃを回動の中心として時計回りに回動した場合、第１止め部４０３ａから紐状部材４０７を介して浮き部材４０１に下方向への力Ｎが入力される。そして、浮き部材４０１の浮力Ｆが下方向への力Ｎに負けることにより浮き部材４０１は図５に示す位置から図６に示す位置に向かって下方向に移動する（浮き部材４０１が沈む）。
【００５４】
一方、浮き駆動用モータ２８ｂによりカム３６５が反時計回りに回動させられると、取付部材３６７、クランクアーム３６９の円環状部３６９ｄを介して、浮きアーム４０３の第１止め部４０３ａが丸棒部材４０３ｃを回動の中心として反時計回りに回動する。これにより、例えば図６の状態で浮きアーム４０３の第１止め部４０３ａが反時計回りの回動を開始した場合には第１止め部４０３ａと丸棒部材４０９ａとの間の距離が短くなる。このため、例えば図６の状態において第１止め部４０３ａが丸棒部材４０３ｃを回動の中心として反時計回りに回動した場合、浮き部材４０１に対する下方向への力Ｎの入力が解除され、浮き部材４０１は、その浮力Ｆにより、図６に示す位置から図５に示す位置に向かって上方向に移動する（浮き部材４０１が浮く）。
【００５５】
このように、浮き駆動用モータ２８ｂの駆動により浮き部材４０１を上下方向に移動させることが可能になっており、これにより、浮き部材４０１を上下方向に移動させる演出を行うことが可能になっている。この浮き駆動用モータ２８ｂの駆動により浮き部材４０１を上下方向に移動させた演出（所定演出）を、以下では、「浮き演出」という。この浮き演出において、図５、図６では下層液体３２０の液面は変動しないような図示になっているが、浮き部材４０１および浮きアーム４０３が動くことにより下層液体３２０の液面も変動することになる。
【００５６】
仮に浮き部材４０１が紐状部材４０７に滑車機構４０９の丸棒部材４０９ｂと第２止め部４０５との間の一点に固定して接続されている場合に、浮きアーム４０３の第１止め部４０３ａが時計回りに回動すると（例えば図５における位置から図６における位置に移動すると）、浮き部材４０１には第１止め部４０３ａから紐状部材４０７を介して浮き部材４０１から滑車機構４０９の丸棒部材４０９ｂの方向（左下方向）への力Ｎ１が入力される。そして、浮き部材４０１の浮力Ｆの丸棒部材４０９ｂから浮き部材４０１の方向（右上方向）への成分が左下方向への力Ｎ１に負けることにより、浮き部材４０１は滑車機構４０９の丸棒部材４０９ｂの方に（左下方向に）に沈む。一方、この実施形態のように浮き部材４０１が紐状部材４０７に滑車機構４０９の丸棒部材４０９ｂと第２止め部４０５との間に摺動可能に接続されている場合に、浮きアーム４０３の第１止め部４０３ａが時計回りに回動すると、浮き部材４０１には第１止め部４０３ａから紐状部材４０７を介して複数方向に均等に分散した力Ｎ２が入力される。そして、浮き部材４０１の浮力Ｆが力Ｎ２の下方向の成分に負けることにより、浮き部材４０１と滑車機構４０９の丸棒部材４０９ｂとの間の距離と、浮き部材４０１と第２止め部４０５との間の距離とが等しい状態を保ったまま、浮き部材４０１は下方向に沈む。
【００５７】
また、仮に浮き部材４０１が紐状部材４０７に滑車機構４０９の丸棒部材４０９ｂと第２止め部４０５との間の一点に固定して接続されている場合に、浮きアーム４０３の第１止め部４０３ａが反時計回りに回動すると（例えば図６における位置から図５における位置に移動すると）、浮き部材４０１に対する下方向への力Ｎ１の入力が解除され、浮き部材４０１と滑車機構４０９の丸棒部材４０９ｂとの間の距離と、浮き部材４０１と第２止め部４０５との間の距離とが等しくなるように、浮き部材４０１は浮力Ｆにより上方向に浮き、その途中から浮力に加えて紐状部材４０７の第２止め部４０５に取り付けられた側からの力を受けて右上方向に浮く。一方、この実施形態のように浮き部材４０１が紐状部材４０７に滑車機構４０９の丸棒部材４０９ｂと第２止め部４０５との間に摺動可能に接続されている場合に、浮きアーム４０３の第１止め部４０３ａが反時計回りに回動すると、浮き部材４０１に対する下方向への力Ｎの入力が解除され、浮き部材４０１の浮力により、浮き部材４０１と滑車機構４０９の丸棒部材４０９ｂとの間の距離と、浮き部材４０１と第２止め部４０５との間の距離とが等しい状態を保ったまま、浮き部材４０１は上方向に浮く。
【００５８】
この実施形態のように浮き部材４０１を紐状部材４０７に摺動可能に接続することにより、浮き部材４０１の上下方向に滑らかに動くことができる。なお、浮き部材４０１は紐状部材４０７の一点に固定して接続されるようにしてもよい。
【００５９】
続いて、ポンプ演出ユニット３５０の上側ポンプ演出ユニット３５１について図２、図１０から図１２を参照して説明する。
【００６０】
上側ポンプ演出ユニット３５１は、図２に示すように、スロットマシン１を正面から見た場合における容器３０１の右側端部に配置されている。上側ポンプ演出ユニット３５１は、管部５０１とタービン５０３とを備える（図１０（ａ），（ｂ）、図１１参照）。
【００６１】
管部５０１は、水槽デバイス２８を正面から見て、上下方向に延びた略矩形筒状をした管本体部５１１と、管本体部５１１の上端から折れ曲がって容器３０１の左側に向かうように延びた略矩形筒状をし、先端には吐水口５１３ａとしての開口を有する管吐水部５１３と、管本体部５１１の下側に延在した管給水部５１５とからなる（図１０（ａ），（ｂ）参照）。管給水部５１５には、前面蓋３０３側に給水口５１５ａとしての略円形の形状をした開口が設けられている（図１０（ａ），（ｂ）参照）とともに、容器本体３０５側の容器本体３０５の貫通孔３０７に対応する位置に略円形の形状をした開口が設けられている（図１０（ｂ）参照）。
【００６２】
管部５０１の給水口５１５ａは、下層液体３２０の液面が波うっていない場合において、給水口５１５ａ全体が下層液体３２０中に位置し、かつ、下層液体３２０の液面近傍に位置するように配置されている。なお、給水口５１５ａ全体が下層液体３２０の液面近傍に位置するとは、例えば、上側ポンプ演出ユニット３５１の駆動の禁止に関連する下層液体３２０の液面が変動している場合に、給水口５１５ａの全部または一部が下層液体３２０外に露出しまうことがあるような位置に給水口５１５ａが位置することである。
【００６３】
また、管部５０１の吐水口５１３ａは、吐水口５１３ａ全体が上層液体３２５中に位置するように配置されている。
【００６４】
タービン５０３は、略円盤状のマグネットタービン部５２１と、マグネットタービン部５２１の前後方向に貫通した貫通孔５２１ｂに挿通された丸棒部材５２３とからなる（図１０（ｂ）、図１１参照）。丸棒部材５２３が後述する収容部５３１の貫通孔５３１ａに挿入されることにより、マグネットタービン部５２１は容器本体３０５の貫通孔３０７内に嵌め込まれた状態で収容部５３１に取り付けられる。マグネットタービン部５２１の前面には、前方（前面蓋３０３側）に突出した羽部５２１ａ（この実施形態では６個の羽部５２１ａ）が形成され、隣接する羽部５２１ａの間には前後方向に貫通した貫通孔５２１ｃが設けられており、貫通孔５２１ｃには棒状の磁石５２１ｄが挿入されている。なお、図１１では図の簡略化のため、一部の貫通孔５２１ｃおよび一部の磁石５２１ｄのみ図示している。羽部５２１ａの前面蓋３０３側の面の一部分は管部５０１の管給水部５１５の容器本体３０５側の内面に管給水部５１５の内側から接触している。また、管給水部５１５から管本体部５１１への流路部分以外に羽部５２１ａがある場合、羽部５２１ａの一部分は管給水部５１５の前面蓋３０３側の面と容器本体３０５側の面とをつなぐ面に接触している。
【００６５】
上側ポンプ演出ユニット３５１の上側ポンプ演出駆動部３７１は、収容部５３１と、上側ポンプ駆動用モータ２８ｃと、駆動マグネット部５３３とを有する（図１０（ｂ）、図１１参照）。
【００６６】
収容部５３１は、容器３０１の容器本体３０５に容器３０１の外側から取り付けら、タービン５０３の丸棒部材５２３を挿通するための前後方向に貫通した孔５３１ａが形成されている。収容部５３１には、駆動マグネット部５３３が収容されているとともに、上側ポンプ駆動用モータ２８ｃが取り付けられている。上側ポンプ駆動用モータ２８ｃは後述するサブ制御基板７３のポンプ駆動制御手段２０５（図１７参照）に駆動制御される。
【００６７】
駆動マグネット部５３３は、略円盤状をしており、上側ポンプ駆動用モータ２８ｃに連結されている。駆動マグネット部５３３とマグネットタービン部５２１は収容部５３１を挟んで対向し、駆動マグネットタービン部５３３にはマグネットタービン部５２１の前後方向に貫通した貫通孔５２１ｃに対向する位置に前後方向に貫通した貫通孔５３３ａが設けられており、貫通孔５３３ａには棒状の磁石５３３ｂが挿入されている。なお、図１１では図の簡略化のため、一部の貫通孔５３３ａおよび一部の磁石５３３ｂのみ図示している。磁石５２１ｄの磁石５３３ｂと対向する側の磁石の極性と、磁石５３３ｂの磁石５２１ｄと対向する側の磁石の極性とは、この実施形態では逆極性の関係にある。この場合、貫通孔５３３ａに磁石５３３ｂが挿入された駆動マグネット部５３３が例えば時計回りに回転した場合には、貫通孔５２１ｃに磁石５２１ｄが挿入されたマグネットタービン部５２１は時計回りに回転することになる。
【００６８】
上側ポンプ駆動用モータ２８ｃにより駆動マグネット部５３３が時計回りに回転させられた場合、マグネットタービン部５２１（マグネットタービン部５２１の羽部５２１ａ）が時計回りに回転する。給水口５１５ａの前面側から管給水部５１５に回転前から入っていたまたは回転後に入ってきた下層液体３２０は、マグネットタービン部５２１の羽部５２１の時計回りの回転により管本体部５１１に送り出される。これが繰り返されることにより、下層液体３２０が管給水部５１５の給水口５１５ａ、管本体部５１１、管吐水部５１３を通って、管吐水部５１３の吐水口５１３ａから吐水される。このようにして、図１２に示すように、下層液体３２０が上層液体３２５中に噴出され、下層液体３２０の液面が変動する。なお、この上側ポンプ演出ユニット３５１により、下層液体３２０が給水口５１５ａから入って吐水口５１３ａから上層液体３２５中に噴出する演出（特定演出）を「上側ポンプ噴出演出」と呼ぶ。
【００６９】
続いて、ポンプ演出ユニット３５０の下側ポンプ演出ユニット３５３について図２、図１３から図１５を参照して説明する。
【００７０】
下側ポンプ演出ユニット３５３は、図２に示すように、スロットマシン１を正面から見た場合における容器３０１の右下端部に配置されている。下側ポンプ演出ユニット３５３は、管部７０１とタービン７０３とを備える（図１３（ａ），（ｂ）、図１４参照）。
【００７１】
管部７０１は、水槽デバイス２８を正面から見て、左右方向に延びた略矩形筒状をした管本体部７１１と、管本体部７１１の左端から折れ曲がって容器３０１の上側に向かうように延びた略矩形筒状をし、先端には吐水口７１３ａとしての開口を有する管吐水部７１３と、管本体部７１１の右側に延在した管給水部７１５とからなる（図１３（ａ），（ｂ）参照）。管給水部７１５には、前面蓋３０３側に給水口７１５ａとしての略円形の形状をした開口が設けられている（図１３（ａ），（ｂ）参照）とともに、容器本体３０５側の容器本体３０５の貫通孔３０９に対応する位置に略円形の形状をした開口が設けられている（図１３（ｂ）参照）。
【００７２】
管部７０１の給水口７１５ａは、給水口７１５ａ全体が下層液体３２０中に位置するように配置されている。また、管部７０１の吐水口７１３ａは、吐水口７１３ａ全体が上層液体３２５中に位置するように配置されている。
【００７３】
タービン７０３は、略円盤状のマグネットタービン部７２１と、マグネットタービン部７２１の前後方向に貫通した貫通孔７２１ｂに挿通された丸棒部材７２３とからなる（図１３（ｂ）、図１４参照）。丸棒部材７２３が後述する収容部７３１の貫通孔７３１ａに挿入されることにより、マグネットタービン部７２１は容器本体３０５の貫通孔３０９内に嵌め込まれた状態で収容部７３１に取り付けられる。マグネットタービン部７２１の前面には、前方（前面蓋３０３側に）に突出した羽部７２１ａ（この実施形態では６個の羽部７２１ａ）が形成されて、隣接する羽部７２１ａの間には前後方向に貫通した貫通孔７２１ｃが設けられており、貫通孔７２１ｃには棒状の磁石７２１ｄが挿入されている。なお、図１４では図の簡略化のため、一部の貫通孔７２１ｃおよび一部の磁石７２１ｄのみ図示している。羽部７２１ａの一部分は管部７０１の管給水部７１５の容器本体３０５側の内面に管給水部７１５の内側から当接している。また、管給水部７１５から管本体部７１１への流路部分以外に羽部７２１ａがある場合、羽部７２１ａの一部分は管給水部７１５の前面蓋３０３側の面と容器本体３０５側の面とをつなぐ面に接触している。
【００７４】
下側ポンプ演出ユニット３５３の下側ポンプ演出駆動部３７３は、収容部７３１と、下側ポンプ駆動用モータ２８ｄと、駆動マグネット部７３３とを有する（図１３（ｂ）、図１４参照）。
【００７５】
収容部７３１は、容器３０１の容器本体３０５に容器３０１の外側から取り付けら、タービン７０３の丸棒部材７２３を挿通するための前後方向に貫通した孔７３１ａが形成されている。収容部７３１には、駆動マグネット部７３３が収容されているとともに、下側ポンプ駆動用モータ２８ｄが取り付けられている。下側ポンプ駆動用モータ２８ｄは後述するサブ制御基板７３のポンプ駆動制御手段２０５（図１７参照）に駆動制御される。
【００７６】
駆動マグネット部７３３は、略円盤状をしており、下側ポンプ駆動用モータ２８ｄに連結されている。駆動マグネット部７３３とマグネットタービン部７２１は収容部７３１を挟んで対向し、駆動マグネットタービン部５３３にはマグネットタービン部５２１の前後方向に貫通した貫通孔７２１ｃに対向する位置に前後方向に貫通した貫通孔７３３ａが設けられており、貫通孔７３３ａには棒状の磁石７３３ｂが挿入されている。なお、図１４では図の簡略化のため、一部の貫通孔７３３ａおよび一部の磁石７３３ｂのみ図示している。磁石７２１ｄの磁石７３３ｂと対向する側の磁石の極性と、磁石７３３ｂの磁石７２１ｄと対向する側の磁石の極性とは、この実施形態では逆極性の関係にある。この場合、貫通孔７３３ａに磁石７３３ｂが挿入された駆動マグネット部７３３が例えば時計回りに回転した場合には、貫通孔７２１ｃに磁石７２１ｄが挿入されたマグネットタービン部７２１は時計回りに回転することになる。
【００７７】
下側ポンプ駆動用モータ２８ｄにより駆動マグネット部７３３が時計回りに回転させられた場合、マグネットタービン部７２１（マグネットタービン部７２１の羽部７２１ａ）が時計回りに回転する。給水口７１５ａの前面側から管給水部７１５に回転前から入っていたまたは回転後に入ってきた下層液体３２０は、マグネットタービン部７２１の羽部７２１の時計回りの回転により管本体部７１１に送り出される。これが繰り返されることにより、下層液体３２０が管給水部７１５の給水口７１５ａ、管本体部７１１、管吐水部７１３を通って、管吐水部７１３の吐水口７１３ａから吐水される。このようにして、図１５に示すように、下層液体３２０が下層液体３２０中に噴出され、下層液体３２０の液面が変動する。なお、この下側ポンプ演出ユニット３５３により、下層液体３２０が給水口７１５ａから入って吐水口７１３ａから下層液体３２０中に噴出する演出（特別演出）を「下側ポンプ噴出演出」と呼ぶ。
【００７８】
図１の説明に戻る。スロットマシン１の前方側から視認される表示領域を有する液晶表示器２７が、水槽デバイス２８の後方側に配置されている。液晶表示器２７の表示領域のうちの下側の第１表示領域の表示内容がスロットマシン１の前方側から水槽デバイス２８の容器３０１内の下層側の液体（比重が大きい液体：下層液体３２０）を介して視認可能なように、かつ、その表示領域のうちの上側の第２表示領域の表示内容がスロットマシン１の前方側から水槽デバイス２８の容器３０１内の上層側の液体（比重が小さい液体：上層液体３２５）を介して視認可能なようになっている。この液晶表示器２７は、動画などを表示して遊技者に当選や入賞などを告知したり、各ストップスイッチ２１Ｌ，２１Ｍ，２１Ｒの操作態様を報知したりする演出を行ったり、スロットマシン１にエラーが発生した場合にエラーの発生を報知するためのものである。ただし、液晶表示器２７の表示領域における第１表示領域および第２表示領域の位置は、下層液体３２０の液面が波うった場合には変化することになる。
【００７９】
また、液晶表示器２７のすぐ上方には、各種の入賞図柄が表示された説明パネル２９が設けられ、液晶表示器２７および説明パネル２９の左右には、音楽や音声などによる演出を行うためのスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００８０】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダルのメダル払出口３９や、このメダル払出口３９から払い出されるメダルを受けるメダル受け４１が設けられている。また、正面板９の右下隅には、３つのリールに対する入賞ラインの位置を示す図形（図示省略）が描かれ、正面板９の左下隅にはクレジットメダルの貯留枚数を表示するクレジット表示器４５が配設されている。このクレジット表示器４５は、例えば２個の７セグメントＬＥＤで構成され、２桁の貯留枚数（最大で５０枚）が表示可能になっている。
【００８１】
また、クレジット表示器４５の下方には、入賞時のメダルの払出枚数を表示するためのペイアウト表示器４６が配設される。このペイアウト表示器４６は、クレジット表示器４５と同様、２個の７セグメントＬＥＤで構成されている。なお、ペイアウト表示器４６は、エラー情報の表示に兼用される。
【００８２】
また、正面板９の表示窓１１の下方には、左ストップスイッチ２１Ｌ，中ストップスイッチ２１Ｍ，右ストップスイッチ２１Ｒを操作する順番や、役抽選の結果など、メイン制御基板６３（図１６、図１７参照）の制御に関する情報を報知（表示）するための報知用表示器６０が配設されている。報知用表示器６０は、例えば２個の７セグメントＬＥＤを備えている。したがって、両７セグメントＬＥＤそれぞれが有する各セグメントの点灯態様を変化させることによって、例えば、各ストップスイッチ２１Ｌ，２１Ｍ，２１Ｒの操作順序や操作タイミングなどの操作様態を報知できるように構成されている。
【００８３】
また、各リール１３Ｌ，１３Ｍ，１３Ｒを支持する支持枠体が、筐体３内の後壁に固定されている。筐体３内の支持枠体の下方には、メダルをメダル払出口３９に排出するためのホッパーユニット４３（図１６参照）が配設されている。また、メダル投入口２５付近の裏面側には、メダル投入口２５に投入されたメダルが正規のものか否かを選別して正規のメダルのみをホッパーユニット４３に導くメダルセレクタ４８（図１６参照）が配設されている。また、スロットマシン１の正面から見てホッパーユニット４３の左側には、操作ボックス４９（図１６参照）が筐体３内の左側壁に固定されている。この操作ボックス４９には、電源のＯＮ、ＯＦＦを切り換える電源スイッチ５０（図１６参照）が設けられるとともに、設定変更処理用のキーシリンダからなる変更処理開始スイッチ５６（図１６参照）、設定変更時の設定値の切り換えを行うのに用いられるリセットスイッチ５２（図１６参照）が設けられている。なお、リセットスイッチ５２は、エラーが発生した際のエラー解除や、許容状態滞在比率を表示するためのスイッチとしても用いられる。
【００８４】
図１６の投入センサ５３が、筐体３内部のメダル投入口２５近傍であってメダルセレクタ４８部分に設けられ、メダル投入口２５に投入されたメダルを１枚ずつ検出する。払出センサ５４が、ホッパーユニット４３の出口に設けられ、メダル払出口３９に払い出されるメダルを１枚ずつ検出する。
【００８５】
図１６の左・中・右位置センサ５５Ｌ，５５Ｍ，５５Ｒは、左・中・右リール１３Ｌ，１３Ｍ，１３Ｒの回転位置をそれぞれ検出するもので、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると、一周ごとに突起部を検出してその検出信号をメイン制御基板６３に出力する。この実施形態では、例えば左・中・右位置センサ５５Ｌ，５５Ｍ，５５Ｒが上記突起部を検出したときに、それぞれコマ番号１９番の図柄が表示窓１１の中段に位置するように構成されている。
【００８６】
図１６のホッパーモータ５７は、ホッパーユニット４３に配設されて、その駆動によりメダルをメダル払出口３９に向けて払い出す。
【００８７】
図１６の許容状態報知ランプ８０は、スロットマシン１の状態が、ＡＴ遊技を許容する状態（ＡＴ許容状態）であることを報知するためのもので、例えば、ＬＥＤランプで形成されている。この実施形態では、ＡＴ許容状態のときは許容状態報知ランプ８０が点灯され、ＡＴ非許容状態のときは消灯される。なお、許容状態報知ランプ８０として、遊技者からも確認できるように、例えば、ペイアウト表示器４６のドット部分を用いてもよく、クレジット表示器４５のドット部分を用いてもよく、報知用表示器６０のドット部分を用いてもよく、別のランプ部材を用いてもよい。
【００８８】
図１６の扉センサ（扉開閉検知用センサ）８５は、筐体３に配設され、前面扉５が開状態にあるか、閉状態にあるかを検知するものであり、検知信号をメイン制御基板６３に出力する。扉センサ８５は、例えば、接触センサにより構成されている。接触センサは、前面扉５が閉じている場合に前面扉５の背面と接触センサの前面とが近接することによりオン状態（ＯＮ状態）となり、前面扉５が開放するに従って前面扉５の背面が接触センサの前面から離間してオフ状態（ＯＦＦ状態）となり、前面扉５の開閉を検知することができる。なお、扉センサ８５は、接触センサに限定されるものではなく、光センサや磁気センサなど、前面扉５の開閉を検知することができるようなものであればよい。
【００８９】
また、スロットマシン１には、図１６に示すように、遊技の進行に関する制御を行うメインＣＰＵ６１が実装されたメイン制御基板６３と、メイン制御基板６３から送信された情報に基づき遊技の進行に合わせた演出の制御を行うサブＣＰＵ７１が実装されたサブ制御基板７３とが別々に設けられ、メイン制御基板６３からサブ制御基板７３に対して一方向に各種のデータが送信される。なお、メイン制御基板６３は、外部から不正にアクセスすることができないように、基板ケース内に厳重に封印されている。また、基板ケースには、不正に解放されたことを確実に視認することができるように、種々の対策が講じられている。
【００９０】
また、図１６に示すように、メイン制御基板６３のＲＡＭ６５は、メインＣＰＵ６１内部の記憶容量であり、スロットマシン１の遊技状態などの遊技に関するデータを一時的に記憶するものである。また、図１６に示すように、メイン制御基板６３のＲＯＭ６７は、メインＣＰＵ６１内部の記憶容量であり、図１７に示す予め設定されたデータである役抽選テーブル６７１、停止テーブル６７２などを含むスロットマシン１用のプログラム（遊技機用プログラム）を格納する。
【００９１】
メイン制御基板６３のメインＣＰＵ６１は、タイマ割込などの割込機能を有し、ＲＯＭ６７に記憶された遊技機用プログラムを実行することにより、遊技の進行に関する処理を行う。このメインＣＰＵ６１は、役抽選結果に関するデータ、各ストップスイッチ２１Ｌ，２１Ｍ，２１Ｒ、スタートスイッチ１９などの遊技者により操作される操作器具の操作に関するデータなどの種々のデータを、所定のコマンド形式でサブ制御基板７３（サブＣＰＵ７１）に送信する。
【００９２】
サブ制御基板７３のメモリ７５は、各種データを一時的に記憶するＲＡＭ部と、演出用の各種プログラムなどを記憶するＲＯＭ部とを備えている。また、サブ制御基板７３のサブＣＰＵ７１は、タイマ割込などの割込機能を有し、サブＣＰＵ７１は、メインＣＰＵ６１から送信されるスロットマシン１に関する各種のデータ（役抽選手段１０３による役抽選処理における役抽選結果、各ストップスイッチ２１Ｌ，２１Ｍ，２１Ｒ、スタートスイッチ１９などの操作器具が操作されたか、などに関するデータ）に基づいてメモリ７５に格納されたプログラムを実行し、遊技者に対する遊技に関連する演出の内容を決定する。また、サブ制御基板７３のサブＣＰＵ７１は、決定された演出の内容に基づいて、サブ制御基板７３が有するＩ／Ｏポートを介して、液晶表示器２７、水槽デバイス２８、スピーカ３１Ｌ，３１Ｒなどの演出機器の制御を行う。
【００９３】
（メイン制御基板）
次に、メイン制御基板６３について、図１７を参照して詳細に説明する。図１７に示すように、メイン制御基板６３は、ＲＯＭ６７に格納されたプログラムを実行することにより実現される種々の機能や、ハードウェアが制御されることにより実現される種々の機能を備えている。
【００９４】
（１）遊技制御手段１００
図１７の遊技制御手段１００は、予め設定された複数の遊技状態のうちのいずれかの遊技状態においてスロットマシン１の遊技を制御するものである。具体的には、遊技制御手段１００は、通常遊技状態において一般的な遊技を実行し、これらの遊技状態よりも遊技者に有利な予め定められた１または複数のボーナス役の入賞により移行するボーナス遊技状態においてボーナス遊技を実行する。ボーナス遊技状態は、入賞したボーナス役の種類に応じた終了条件（たとえば、終了条件はＡＴ非許容状態中、ＡＴ許容状態中のいずれでも払出枚数が規定数の２００枚を超えること）が定められており、遊技制御手段１００は、その種類に応じた終了条件が成立したときにボーナス遊技状態を終了する。
【００９５】
また、ボーナス遊技状態での遊技であるボーナス遊技とは異なる遊技者に有利な遊技として、後述する役抽選手段１０３の役抽選により、各ストップスイッチ２１Ｌ，２１Ｍ，２１Ｒの操作手順によって遊技者に付与する有利度の異なる１又は複数の当選役グループ（以下、「押し順ベル」と記載する。）の当選となったときに、当選した押し順ベルに対応する有利な各ストップスイッチ２１Ｌ，２１Ｍ，２１Ｒの操作手順（押し順）を特定可能に報知するＡＴ遊技（特殊遊技）がある。技制御手段１００は、ＡＴ許容状態、かつ、ＡＴ期間（特殊遊技継続期間）中の遊技において、役抽選手段１０３の役抽選により押し順ベルの当選となった場合はＡＴ遊技を行う。
【００９６】
遊技制御手段１００は、ＡＴ遊技を許容しないＡＴ非許容状態（特殊遊技非許容状態）、および、ＡＴ遊技を許容するＡＴ許容状態（特殊遊技許容状態）のいずれか１つにスロットマシン１の状態を設定する。スロットマシン１をＡＴ非許容状態からＡＴ許容状態へ移行するか否かの抽選（ＡＴ許容移行抽選）を行う契機役としてのＡＴ許容役グループ（役抽選手段１０３による役抽選の対象となる当選役グループのうちの予め定められた１または複数の当選役グループ）に当選し、ＡＴ許容役グループに当選して行われるＡＴ許容移行抽選によりスロットマシン１をＡＴ非許容状態からＡＴ許容状態へ移行することが決定された場合、遊技制御手段１００はスロットマシン１をＡＴ許容状態に設定するとともに、ＡＴ遊技を実行する権利のゲーム数を例えば予め決められたゲーム数に決定する。また、遊技制御手段１００は、ＡＴ遊技を実行する権利のゲームが０になるというＡＴ許容状態の終了条件が成立した場合、スロットマシン１をＡＴ許容状態からＡＴ非許容状態に設定する。
【００９７】
（２）設定制御手段１０１
図１７の設定制御手段１０１は、払出率の異なる複数の設定値（設定１〜設定６）から一の設定値を設定するものである。この設定値は、後述するテーブル選択手段１０２により選択される役抽選テーブル６７１を選択するためのものであり、ＲＯＭ６７に格納された複数の役抽選テーブル６７１のそれぞれに各設定値のいずれかが対応付けられている。そして、設定制御手段１０１は、電源投入時（電源スイッチ５０をＯＮにした時）に変更処理開始スイッチ５６のＯＮ、ＯＦＦ状態を判定し、変更処理開始スイッチ５６がＯＮの状態で電源が投入されると、所定の設定変更処理を開始する。そして、上記設定変更処理が開始されると、スロットマシン１を設置するパチンコホールの管理者が、この設定値を変更することが可能になる。このときにリセットスイッチ５２が用いられ、設定変更処理が開始された後に、リセットスイッチ５２が押される度に、設定値が１ずつ増加して変更できるようになっている。なお、設定６のときにリセットスイッチ５２が押されると、設定１に戻る。
【００９８】
（３）テーブル選択手段１０２
図１７のテーブル選択手段１０２は、設定制御手段１０１により設定される設定値（設定１〜設定６）に基づき、図１７に示す複数の役抽選テーブル６７１から１つの抽選テーブルを選択するものである。
【００９９】
（４）役抽選手段１０３
図１７の役抽選手段１０３は、スタートスイッチ１９が操作されて遊技を開始するタイミングで、予め設定された複数の当選役グループのうちのいずれの当選役グループに当選したか否かを、遊技開始に基づいて抽選値を生成して当該抽選値により決定する役抽選を行うものである。また、役抽選手段１０３は、ＡＴ非許容状態である場合において、役抽選によりＡＴ許容役グループ（複数の当選役グループのうちの予め定められた１または複数の当選役グループ）に当選したときには、役抽選に用いられる抽選値と同じ抽選値を用いて、スロットマシン１をＡＴ非許容状態からＡＴ許容状態へ移行するか否かの抽選（ＡＴ許容移行抽選）を行う。
【０１００】
なお、役の種類として、ボーナス役と、再遊技役と、小役とが予め設定されている。ボーナス役は、ボーナス遊技状態への移行役である。再遊技役は、入賞すると、新たなメダルを投入することなく当該入賞遊技と同じ賭数で次遊技行うことができる役である。小役は、入賞すると所定の配当（払出数）が得られる役である。また、当選役グループの種類として、１または複数のボーナス役により構成される当選役グループ、１または複数の再遊技役で構成される当選役グループ、１または複数の小役により構成される当選役グループなどが予め設定されている。
【０１０１】
（５）扉開閉検出手段１０４
図１７の扉開閉検出手段１０４は、図１６の扉センサ８５から入力される検知信号に基づいて前面扉５が開いているか、閉じているかを検出する。
【０１０２】
（６）停止制御手段１０５
図１７の停止制御手段１０５は、遊技者による各ストップスイッチ２１Ｌ，２１Ｍ，２１Ｒの操作態様と役抽選手段１０３の役抽選結果とに基づき、停止テーブル６７２を用いて各リール１３Ｌ，１３Ｍ，１３Ｒの停止制御を行うものである。
【０１０３】
（７）報知表示制御手段１０６
図１７の報知表示制御手段１０６は、報知用表示器６０での報知が報知態様決定手段１０７で決定された報知態様となるように制御するものである。
【０１０４】
（８）報知態様決定手段１０７
図１７の報知態様決定手段１０７は、役抽選手段１０３の役抽選結果やスロットマシン１の状態（ＡＴ非許容状態、ＡＴ許容状態にＡＴ準備中、ＡＴ許容状態におけるＡＴ期間中）などに基づいて、報知用表示器６０での報知態様を決定するものである。報知態様決定手段１０７が決定した報知態様については、コマンド作成手段１０８によりその種類を特定可能なコマンドが作成され、サブ制御基板７３に送信される。例えば、ＡＴ期間中に押し順ベルに内部当選した場合は、その種類に応じて設定された有利な押し順を報知するという報知態様に決定する。
【０１０５】
（９）コマンド作成手段１０８
図１７のコマンド作成手段１０８は、一般遊技状態およびボーナス遊技状態などの遊技状態、スロットマシン１のＡＴ非許容状態／ＡＴ許容状態に関する情報、役抽選手段１０３におけるボーナス役や押し順ベルなどの役抽選結果に関する情報、各ストップスイッチ２１Ｌ，２１Ｍ，２１Ｒ、スタートスイッチ１９などの遊技者により操作される操作器具の操作に関する情報、扉開閉検出手段１０４の検出結果に基づく前面扉５の開閉に関する情報（前面扉５が開けられたこと、前面扉５が閉じられたこと）などの種々の情報をサブ制御基板７３（サブＣＰＵ７１）に送信するためのコマンドを生成するものである。そして、コマンド作成手段１０８により生成されたコマンドは、後述するようにコマンド送信手段１１３によりサブ制御基板７３に送信される。サブ制御基板７３では、メイン制御基板６３から送られてきたコマンドに基づき、実行する演出を選択する。換言すれば、サブ制御基板７３において実行される演出内容を指示するコマンドがコマンド作成手段１０８により作成される。
【０１０６】
また、コマンド作成手段１０８は、スロットマシン１の状態および役抽選手段１０３の役抽選結果に基づいて、報知用表示器６０の報知態様に対応するコマンドを作成する。例えば、役抽選手段１０３の役抽選結果（当選役グループの識別番号）を構成する役の種類を特定可能なコマンドを作成するとともに、報知用表示器６０の報知態様の種類を特定可能なコマンドを作成する。
【０１０７】
（１０）リール検出手段１０９
図１７のリール検出手段１０９は、左・中・右位置センサ５５Ｌ，５５Ｍ，５５Ｒの検出信号と、左・中・右リール１３Ｌ，１３Ｍ，１３Ｒを駆動する各リールモータ１４Ｌ，１４Ｍ，１４Ｒへの供給パルス数とに基づき、左・中・右リール１３Ｌ，１３Ｍ，１３Ｒの回転位置をそれぞれ検出するものである。この場合、リール検出手段１０９は、左・中・右リール１３Ｌ，１３Ｍ，１３Ｒの回転中および回転停止時に、所定の基準位置（この実施形態では例えば、表示窓１１の下段）に位置する図柄に対応するコマ番号をそれぞれ検出する。
【０１０８】
（１１）図柄判定手段１１０
図１７の図柄判定手段１１０は、各リール１３Ｌ，１３Ｍ，１３Ｒそれぞれの回転位置に基づき、停止制御手段１０５により停止制御されて停止した各リール１３Ｌ，１３Ｍ，１３Ｒの図柄の表示態様が、予め定められた表示態様であるかどうかの判定を行うものであり、リール１３Ｌ，１３Ｍ，１３Ｒが停止したときの図柄の表示結果が所定の入賞態様であるかどうかを判定する。
【０１０９】
（１２）払出制御手段１１１
図１７の払出制御手段１１１は、図柄判定手段１１０による判定結果に基づき、遊技者に所定の特典（利益）を付与するものであり、図柄判定手段１１０により、いずれかの役に入賞したと判定されたときに、メダルの払い出しのある入賞であれば、クレジットメダルの貯留枚数が上限値（この実施形態では例えば５０枚）に達した後は、ホッパーユニット４３を動作させ、入賞した役に対応した払出数だけメダルを払い出して遊技者に利益を付与する。また、払出制御手段１１１は、クレジットメダルの貯留枚数が上限値に達するまでは、メダルの払い出しとして、ホッパーユニット４３の動作に代えて上記払出数だけクレジットメダルを増加させる。さらに、払出制御手段１１１は、図柄判定手段１１０により再遊技役に入賞したと判定されたときに、規定数（３枚）のメダルが投入されたものとして次遊技の入賞ラインを有効とする。
【０１１０】
（１３）メダル制御手段１１２
図１７のメダル制御手段１１２は、メダルセレクタ４８の動作を制御することにより、メダル受入可と受入不可とを切換えるものである。
【０１１１】
（１４）コマンド送信手段１１３
図１７のコマンド送信手段１１３は、メイン制御基板６３からサブ制御基板７３へ、コマンド作成手段１０８により作成された種々の情報を含むコマンドを一方通行で送信するものである。この場合、一般遊技状態およびボーナス遊技状態などの遊技状態、スロットマシン１のＡＴ非許容状態／ＡＴ許容状態に関する情報、役抽選手段１０３におけるボーナス役や押し順ベルなどの役抽選結果、前面扉５の開閉に関する情報（前面扉５が開けられたこと、前面扉５が閉じられたこと）、図柄判定手段１１０による図柄判定結果、各リール１３Ｌ，１３Ｍ，１３Ｒの回転・停止状態、払出制御手段１１１によるメダルの払出状態などのスロットマシン１の状態を表す情報を含むコマンドをサブ制御基板７３へ送信する。
【０１１２】
また、コマンド送信手段１１３は、投入センサ５３による投入メダルの検出状態、ベットスイッチ１５および最大ベットスイッチ１７の操作状態などを表すデータを含むコマンドをサブ制御基板７３に送信する。また、コマンド送信手段１１３は、スタートスイッチ１９およびストップスイッチ２１Ｌ，２１Ｍ，２１Ｒなどの各種スイッチが遊技者により操作されたことを示すデータを含むコマンドをサブ制御基板７３に送信する。
【０１１３】
（サブ制御基板）
次に、サブ制御基板７３について詳細に説明する。図１７のサブ制御基板７３は、メイン制御基板６３から送信されたコマンドを受信し、メイン制御基板６３の動作や状態に応じた演出を行うものである。サブ制御基板７３は、メモリ７５（図１６参照）に格納されたプログラムを実行することにより実現される種々の機能や、ハードウェアが制御されることにより実現される種々の機能を備えている。
【０１１４】
（１）コマンド受信手段２００
図１７のコマンド受信手段２００は、メイン制御基板６３により送信された種々の情報を含むコマンドを受信するものである。コマンド受信手段２００は、メイン制御基板６３から送信されるコマンドを受信すれば、コマンドの種類に応じてサブ制御基板７３が備える各機能に通知を行う。
【０１１５】
（２）演出内容決定手段２０１
図１７の演出内容決定手段２０１は、コマンド受信手段２００により受信されたコマンドに応じて、演出の内容を決定するためのものである。具体的には、遊技の進行、スロットマシン１のＡＴ非許容状態／ＡＴ許容状態に関する情報、ボーナス役や押し順ベルなどの役抽選結果などに対応して予め設定された演出パターンから、液晶表示器２７に表示される動画を決定したり、水槽デバイス２８の浮き演出ユニット３３０による浮き演出の実行を決定したり、上側ポンプ演出ユニット３５１による上側ポンプ噴出演出の実行を決定したり、下側ポンプ演出ユニット３５３による下側ポンプ噴出演出の実行を決定したり、スピーカ３１Ｌ，３１Ｒから流れる音楽や音声を決定したり、上部ランプ部３３や下部ランプ部３７Ｌ，３７Ｒの光源を一斉にあるいは個別に点滅したりするなどの演出を決定したりする。また、演出内容決定手段２０１は、報知用表示器６０の報知態様（例えば、ＡＴ期間中に押し順ベルに内部当選した場合は、その種類に応じて設定された有利な押し順を報知するという報知態様）に対応する報知演出を実行する演出内容に決定する。
【０１１６】
例えば、演出内容決定手段２０１は、ＡＴ期間中に押し順ベルに内部当選した場合は、その種類に応じて設定された有利な押し順を液晶表示器２７に表示するという演出内容に決定する。また、演出内容決定手段２０１は、例えば、遊技者がメダルの払い出しを受けやすくなるなど遊技者が遊技媒体の払い出しを受けることができる期待度が高いチャンス状態にスロットマシン１がなった場合（例えば、役抽選結果が１または複数のボーナス役を構成役とする１または複数の当選役グループに内部当選したことを示す場合、ＡＴ非許容状態／ＡＴ許容状態に関する情報がスロットマシン１をＡＴ非許容状態からＡＴ許容状態に移行することが決定されたことを示す場合など）、遊技者がメダルの払い出しを受けやすくなる可能性があるなど遊技者が遊技媒体の払い出しを受けることができる期待度が高い可能性があるチャンス状態にスロットマシン１がなった場合（例えば、役抽選結果がボーナスに同時に当選している可能性がある当選役グループに内部当選した場合、役抽選結果がＡＴ許容移行抽選が行われるＡＴ許容役グループに内部当選した場合など）、チャンス示唆演出として浮き演出の実行を決定する。なお、浮き演出を、スロットマシン１に設定されている設定値を示唆する示唆演出、プレミア演出などに用いてもよい。また、演出内容決定手段２０１は、上側ポンプ演出の実行条件を満たした場合（例えば、役抽選結果が上側ポンプ噴出演出用に予め定められた１または複数の当選役グループに当選したことを示す場合）、上側ポンプ演出の実行を決定する。また、演出内容決定手段２０１は、下側ポンプ演出の実行条件を満たした場合（例えば、役抽選結果が下側ポンプ噴出演出用に予め定められた１または複数の当選役グループに当選したことを示す場合）、下側ポンプ演出の実行を決定する。
【０１１７】
そして、演出内容決定手段２０１は、決定した演出内容に関するデータを含む信号を表示制御手段２０２、音声制御手段２０３、浮き駆動制御手段２０４およびポンプ駆動制御手段２０５に送信する。
【０１１８】
（３）表示制御手段２０２
図１７の表示制御手段２０２は、演出内容決定手段２０１から送信された信号に含まれるデータに基づいて、液晶表示器２７に動画（画像）を表示したり、上部ランプ部３３や下部ランプ部３７Ｌ，３７Ｒなどの光源を一斉にあるいは個別に点滅したりするなどの制御を行うものである。
【０１１９】
（４）音声制御手段２０３
図１７の音声制御手段２０３は、演出内容決定手段２０１から送信された信号に含まれるデータに基づいて、スピーカ３１Ｌ，３１Ｒから音楽を流したり、音声を出力したりするなど制御を行うものである。
【０１２０】
（５）浮き駆動制御手段２０４
図１７の浮き駆動制御手段２０４は、演出内容決定手段２０１から送信された信号に含まれるデータに基づいて、チャンス示唆演出としての浮き演出ユニット３３０による浮き演出を実行する場合に、浮き駆動用モータ２８ｂの駆動制御を行うものであり、この駆動制御により浮き部材４０１が上下方向に移動する浮き演出が実行される。この浮き演出は例えば浮き演出実行後の所定期間行われる。また、浮き駆動制御手段２０４は、電源投入タイミング（例えば、電断後の電源投入タイミング）に、浮き演出ユニット３３０を初期位置にセットするなどの浮き演出ユニット３３０の初期動作（イニシャライズ動作）のために浮き駆動用モータ２８ｂの駆動制御を行うものである。また、浮き駆動制御手段２０４は、前面扉５が開いたタイミングや閉じたタイミングに、浮き演出ユニット３３０の初期動作（イニシャライズ動作）のために浮き駆動用モータ２８ｂの駆動制御を行うものである。この浮き演出時の駆動制御、各初期動作（イニシャライズ動作）時の駆動制御は、浮き用位置検出センサ２８ａによる位置検出結果を用いて浮き演出ユニット３３０（この実施形態では、浮き演出ユニット３３０のクランクアーム３６９）の位置制御を行いながら実施される。
【０１２１】
（６）ポンプ駆動制御手段２０５
図１７のポンプ駆動制御手段２０５は、演出内容決定手段２０１から送信された信号に含まれるデータに基づいて、上側ポンプ演出ユニット３５１による上側ポンプ噴出演出を実行する場合に、上側ポンプ駆動用モータ２８ｃの駆動制御を行うものであり、この駆動制御により下層液体３２０が上層液体３２５中へ噴出される上側ポンプ演出が実行される。この上側ポンプ噴出演出は例えば上側ポンプ噴出演出実行後の所定期間行われる。また、ポンプ駆動制御手段２０５は、演出内容決定手段２０１から送信された信号に含まれるデータに基づいて、下側ポンプ演出ユニット３５３による下側ポンプ噴出演出を実行する場合に、下側ポンプ駆動用モータ２８ｄの駆動制御を行うものであり、この駆動制御により下層液体３２０が下層液体３２０中へ噴出される下側ポンプ演出が実行される。この下側ポンプ噴出演出は例えば下側ポンプ噴出演出実行後の所定期間行われる。
【０１２２】
ポンプ駆動制御手段２０５による上側ポンプ演出ユニット（ポンプ）３５１の作動は、図１８に示すように、
（１）電源投入（例えば、電断後の電源投入）されてから予め定められた時間が経過するまでの規定時間内
（２）スロットマシン１の前面扉５が閉じられてから予め定められた時間が経過するまでの規定時間内、
（３）下側ポンプ噴出演出が終了してから予め定められた時間が経過するまでの規定時間内、
（４）上側ポンプ噴出演出が終了してから予め定められた時間が経過するまでの規定時間内
（５）浮き演出が終了してから予め定められた時間が経過するまでの規定時間内
（６）下側ポンプ噴出演出の開始から下側ポンプ噴出演出の終了までの時間
（７）浮き演出の開始から浮き演出の終了までの時間
では禁止されている。図１８における前面扉５が開けられてから前面扉５が閉じられるまでは遊技が行われない期間（遊技不実行期間）であり、上記の禁止期間および遊技不実行期間以外の期間ではポンプ駆動制御手段２０５による上側ポンプ演出ユニット（ポンプ）３５１の作動は許可されている。
【０１２３】
このため、ポンプ駆動制御手段２０５は、電源投入されたタイミングからの経過時間をタイマにより計時し、タイマのカウント値に基づいて電源投入後の規定時間内では上側ポンプ駆動用モータ２８ｃを駆動しないようになっている。また、ポンプ駆動制御手段２０５は、前面扉５が閉じられたタイミングからの経過時間をタイマにより計時し、タイマのカウント値に基づいて前面扉５が閉じられた後の規定時間内では上側ポンプ駆動用モータ２８ｃを駆動しないようになっている。また、ポンプ駆動制御手段２０５は、下側ポンプ噴出演出が開始したタイミングから下側ポンプ噴出演出が終了したタイミングまでの時間内では上側ポンプ駆動用モータ２８ｃを駆動しないようになっているとともに、下側ポンプ噴出演出が終了したタイミングからの経過時間をタイマにより計時し、タイマのカウント値に基づいて下側ポンプ噴出演出終了後の規定時間内では上側ポンプ駆動用モータ２８ｃを駆動しないようになっている。また、ポンプ駆動制御手段２０５は、上側ポンプ噴出演出が終了したタイミングからの経過時間をタイマにより計時し、タイマのカウント値に基づいて上側ポンプ噴出演出終了後の規定時間内では上側ポンプ駆動用モータ２８ｃを駆動しないようになっている。また、ポンプ駆動制御手段２０５は、浮き演出が開始したタイミングから浮き演出が終了したタイミングまでの時間内では上側ポンプ駆動用モータ２８ｃを駆動しないようになっているとともに、浮き演出が終了したタイミングからの経過時間をタイマにより計時し、タイマのカウント値に基づいて浮き演出終了後の規定時間内では上側ポンプ駆動用モータ２８ｃを駆動しないようになっている。
【０１２４】
なお、上記の予め定められた時間は例えば次のようにして設定される。（１）電源投入されてから下層液体３２０の液面が変動しなくなるまでの実測の時間の平均値、（２）前面扉５が閉じられてから下層液体３２０の液面が変動しなくなるまでの実測の時間の平均値、（３）下側ポンプ噴出演出が終了してから下層液体３２０の液面が変動しなくなるまでの実測の時間の平均値、（４）上側ポンプ噴出演出が終了してから下層液体３２０の液面が変動しなくなるまでの実測の時間の平均値、（５）浮き演出が終了してから下層液体３２０の液面が変動しなくなるまでの実測の時間の平均値、を求める。そして、実測の時間の平均値が最も長いものを選び、選んだ実測の時間の平均値に所定のマージンを加えた時間を上記の予め定められた時間とする。
【０１２５】
なお、ポンプ駆動制御手段２０５による上側ポンプ演出ユニット３５１の作動の禁止期間を、（１）電源投入（例えば、電断後の電源投入）後、（２）スロットマシン１の前面扉５が閉じられた後、（３）下側ポンプ噴出演出の終了後、（４）上側ポンプ噴出演出の終了後、（５）浮き演出の終了後のそれぞれで同じ時間幅に設定している。しかしながら、これに限定されるものではなく、ポンプ駆動制御手段２０５による上側ポンプ演出ユニット３５１の作動の禁止期間を、（１）電源投入（例えば、電断後の電源投入）後、（２）スロットマシン１の前面扉５が閉じられた後、（３）下側ポンプ噴出演出の終了後、（４）上側ポンプ噴出演出の終了後、（５）浮き演出の終了後のそれぞれで、個別に時間幅を設定するようにしてもよい。この場合、液面の変動が落ち着くまでの時間が短いものについては、早期に上側ポンプ演出ユニット３５１の作動が許可されるようになる。
【０１２６】
上記した実施形態では、浮き部材４０１は、第１止め部４０３ａと第２止め部４０５との２方向で支持されているため、浮き駆動用モータ２８ｂの動力により第１止め部４０３ａが動作することにより浮き部材４０１を上下方向に移動させるチャンス示唆演出以外での浮き部材４０１の過剰な動きを防止することができ、意図しない浮き部材４０１の動きに起因する遊技者によるチャンス示唆の誤認を減らすことができる。
【０１２７】
また、浮き部材４０１は紐状部材４０７に摺動可能に接続されているので、浮き部材４０１の上下方向の移動が滑らかになり、遊技者にチャンス示唆をより明確に伝達することができる。
【０１２８】
また、浮き部材４０１は例えば上側ポンプ演出ユニット３５１や下側ポンプ演出ユニット３５３が発生させる波の進行方向と直交する水平方向よりも当該波の進行方向の方に長い形状をしている。このため、浮き演出に加えて遊技の興趣の更なる向上のために例えば上側ポンプ噴出演出や下側ポンプ噴出演出を行うスロットマシン１において、例えば浮き部材４０１が上側ポンプ噴出演出や下側ポンプ噴出演出による波を受けた場合であっても、浮き部材４０１はその波を受け流し易くなるので、波の影響による浮き部材４０１の過剰な動きをより防止することができる。
【０１２９】
また、浮き部材４０１の浮きリング部４３３の短径の２点間の距離は、前面蓋３０３の容器本体３０５の面３０３ｂと、容器本体３０５の面３０５ｃとの距離より小さくなっており、浮き部材４０１の浮きリング部４３３の長径の２点間の距離は、前面蓋３０３の容器本体３０５の面３０３ｂと、容器本体３０５の面３０５ｃとの距離より大きくなっている。これにより、浮き部材４０１は、容器３０１内での上下方向の滑らかな移動を可能にしつつ、容器３０１内での過剰な回転を抑えることができる。
【０１３０】
また、紐状部材４０７の一端側（第１止め部４０３ａに取り付けられる部分）から当該紐状部材４０７の浮き部材４０１が接続されている部分にかけて当該紐状部材４０７に対する滑車機構４０９が設けられている。この実施形態の滑車機構４０９は丸棒部材４０９ａ，４０９ｂで構成されており、各丸棒部材４０９ａ，４０９ｂは、浮き駆動用モータ２８ｂに比べてかなり小さいサイズで、かつ、円柱状の形状により作ることができる。各丸棒部材４０９ａ，４０９ｂは、サイズが小さい円柱状をしているので、小さなスペースにも配置することが可能であり、他の部品の配置による配置箇所の制約を受けにくい。そして、配置箇所の制約を受けにくい丸棒部材４０９ａ，４０９ｂの配置箇所を調整することにより、紐状部材４０７の一端が取り付けられる第１止め部４０３ａを有する浮きアーム４０３および浮きアーム４０３の駆動用の浮き駆動用モータ２８ｂはそれらを配置することが可能なスペースのうちの任意のスペースに配置することが可能になる。このため、紐状部材４０７の一端側が取り付けられた第１止め部４０３ａの配置箇所の自由度が向上し、これにより、第１止め部４０３ａの動作の動力源となる浮き演出駆動部３６０の設置箇所の自由度が向上する。
【０１３１】
また、上側ポンプ演出ユニット３５１の作動は、上側ポンプ演出ユニット３５１による上側ポンプ噴出演出以外の下層液体３２０の液面が変動するような演出（この実施形態では、下側ポンプ噴出演出、浮き演出）の期間中、下層液体３２０の液面が変動するような演出（この実施形態では、下側ポンプ噴出演出、上側ポンプ噴出演出、浮き演出）が終了してから、または、スロットマシン１の電源が投入されてから、または、スロットマシン１の前面扉５が閉じられてから、予め定められた時間が経過するまでの規定時間内では禁止されている。このため、上側ポンプ演出ユニット３５１の作動は下層液体３２０の液面の変動が落ち着いてから行われるので、上側ポンプ演出ユニット３５１の作動時に上側ポンプ演出ユニット３５１が給水口５１５ａから下層液体３２０以外の意図しない上層液体３２５を取り込むことを抑えることができる。また、下層液体３２０の液面の変動に起因する圧力変化により上側ポンプ演出ユニット３５１の給水口５１５ａから吐水口５１３ａにかけての流路内の下層液体３２０の液面の位置が変化し、上側ポンプ演出ユニット３５１の作動開始から上側ポンプ演出ユニット３５１による下層液体３２０の噴出までの時間が変化するのを防ぐことができる。つまり、上側ポンプ演出ユニット３５１の作動開始から上側ポンプ演出ユニット３５１による下層液体３２０の噴出までの時間の一定化を図ることができる。これらにより、上側ポンプ演出ユニット３５１による上側ポンプ噴出演出が所望の演出にならない事態の発生を防止することができる。
【０１３２】
このことについて、下側ポンプ噴出演出および上側ポンプ噴出演出を例に挙げて説明する。
【０１３３】
図１５に示す下側ポンプ噴出演出では、下側ポンプ演出ユニット３５３の管部７０１の吐水口７１３ａから上方向に向かって下層液体３２０が噴出され、吐水口７１３ａの上方の部分とその付近の下層液体３２０の液面は大きく盛り上がり、それ以外の部分の下層液体３２０の液面が下がる。これにより、上側ポンプ演出ユニット３５１の給水口５１５ａの全部または一部が管部５０１外の下層液体３２０から露出して管部５０１外の上層液体３２５中にあるようになる。また、上側ポンプ演出ユニット３５１の給水口５１５ａ付近の管部５０１外の下層液体３２０の液面が下がることにより、上側ポンプ演出ユニット３５１の管部５０１内にかかる下層液体３２０の圧力が下がり、これにより、管部５０１内の下層液体３２０の液面が例えば図２の下層液体３２０の液面が変動していない場合に比べて下がる。例えば、この状態で下側ポンプ演出ユニット３５３が下側ポンプ噴出演出を終了し、続いて上側ポンプ演出ユニット３５１が上側ポンプ噴出演出のために作動すると、給水口５１５ａの全部または一部が管部５０１外の下層液体３２０から露出して管部５０１外の上層液体３２５中にあるので、上側ポンプ演出ユニット３５１が意図しない上層液体３２５を取り込んでしまう。また、管部５０１内の下層液体３２０の液面が下がっているので、例えば図２の下層液体３２０の液面が変動していない場合に比べて上側ポンプ演出ユニット３５１が作動してから下層液体３２０が吐水口５１３ａから噴出されるまでの時間がかかってしまう。
【０１３４】
また、図１２に示す上側ポンプ噴出演出が終了し、図１２のように下層液体３２０の液面が上側ポンプ演出ユニット３５１の給水口５１５ａの付近で高くなっている場合、上側ポンプ演出ユニット３５１の給水口５１５ａ付近の管部５０１外の下層液体３２０の液面が上がっていることにより、上側ポンプ演出ユニット３５１の管部５０１内にかかる下層液体３２０の圧力が上がり、これにより、管部５０１内の下層液体３２０の液面が例えば図２の下層液体３２０の液面が変動していない場合に比べて上がる。例えば、この状態で上側ポンプ演出ユニット３５１が上側ポンプ噴出演出のために作動すると、管部５０１内の下層液体３２０の液面が上がっているので、例えば図２の下層液体３２０の液面が変動していない場合に比べて上側ポンプ演出ユニット３５１が作動してから下層液体３２０が吐水口５１３ａから噴出されるまでの時間が短くなってしまう。なお、図１２に示す上側ポンプ噴出演出が終了し、下層液体３２０の液面が上側ポンプ演出ユニット３５１の給水口５１５ａの付近で低くなっている場合は、図１５の場合と同様に、例えば図２の下層液体３２０の液面が変動していない場合に比べて上側ポンプ演出ユニット３５１が作動してから下層液体３２０が吐水口５１３ａから噴出されるまでの時間が長くなってしまったり、上側ポンプ演出ユニット３５１が意図しない上層液体３２５を取り込んでしまったりする。
【０１３５】
このように、上側ポンプ噴出演出時における下層液体３２０の液面の位置が変わることによって上側ポンプ演出ユニット３５１が作動してから下層液体３２０が吐水口５１３ａから噴出されるまでの時間が変わってしまう。これにより、例えば、水槽デバイス２８の後方に配置された液晶表示器２７の表示による演出と上側ポンプ演出ユニット３５１による上側ポンプ噴出演出とが連携するような演出の場合、上側ポンプ演出ユニット３５１の演出タイミングと液晶表示器２７の表示による演出タイミングとが合わなくなってしまう。
【０１３６】
一方、下側ポンプ噴出演出や上側ポンプ噴出演出が終了してから時間が経過して下層液体３２０の液面が落ち着くと、図２のように上側ポンプ演出ユニット３５１の給水口５１５ａ全体が管部５０１外の下層液体３２０中に位置するようになる。また、上側ポンプ演出ユニット３５１の給水口５１５ａ付近の管部５０１外の下層液体３２０の液面が落ち着いた状態では、上側ポンプ演出ユニット３５１の管部５０１内にかかる下層液体３２０の圧力が一定に保たれ、これにより管部５０１内の下層液体３２０内の下層液体３２０の液面は一定に保たれる。例えば、この状態で上側ポンプ演出ユニット３５１が作動すると、給水口５１５ａ全体が管部５０１外の下層液体３２０中に位置するので、作動時に上側ポンプ演出ユニット３５１が意図しない上層液体３２５を取り込むことが防がれる。また、管部５０１内の下層液体３２０の液面は一定に保たれているので上側ポンプ演出ユニット３５１が作動してから下層液体３２０が吐水口５１３ａから噴出されるまでの時間が一定となる。
【０１３７】
このように、上側ポンプ噴出演出時における下層液体３２０の液面の位置が一定になることで上側ポンプ演出ユニット３５１が作動してから下層液体３２０が吐水口５１３ａから噴出されるまでの時間が一定になる。これにより、例えば、水槽デバイス２８の後方に配置された液晶表示器２７の表示による演出と上側ポンプ演出ユニット３５１による上側ポンプ噴出演出とが連携するような演出の場合、上側ポンプ演出ユニット３５１の演出タイミングと液晶表示器２７の表示による演出タイミングとを合わせることが容易になる。
【０１３８】
また、下層液体３２０を容器３０１内の下層液体３２０が存在する領域に噴出させる下側ポンプ噴出演出（特別演出）では、下層液体３２０の液面の変動が大きいことが想定される。このため、下側ポンプ噴出演出が終了してから予め定められた時間が経過するまでの規定時間内で、上側ポンプ演出ユニット３５１による上側ポンプ噴出演出を禁止することにより、給水口５１５ａからの下層液体３２０以外の意図しない上層液体３２５の取り込みを効果的に抑えることができるとともに、上側ポンプ演出ユニット３５１の作動開始から上側ポンプ演出ユニット３５１による下層液体３２０の噴出までの時間の一定化を図ることができる。
【０１３９】
また、浮き用位置検出センサ２８ａによる検出結果に基づいて位置制御が行われる浮き演出ユニット３３０については、電源の投入タイミングまたは前面扉の開閉タイミングにおいて必要な初期動作（イニシャライズ動作）が実行され、必要な初期動作（イニシャライズ動作）が行われないことによる不具合が生じることを防止することができる。
【０１４０】
なお、本発明は上記した実施形態に限定されるものではなく、その趣旨を逸脱しない限りにおいて上述したもの以外に種々の変更を行うことが可能である。
【０１４１】
例えば、上層液体３２５を空気などの気体に置き換え、上側ポンプ演出ユニット３５１は上側ポンプ噴出演出において下層液体３２０を給水口５１５ａから取り込んで吐水口５１３ａから空気などの気体中に噴出するようにしてもよい。
【０１４２】
また、下側ポンプ演出ユニット３５３の吸水口７１５ａの配置箇所を下層液体３２０中から上層液体３２５中に置き換え、下側ポンプ演出ユニット３５３は下側ポンプ噴出演出において上層液体３２５を給水口７１５ａから取り込んで吐水口７１３ａから下層液体３２０中に噴出するようにしてもよい。また、上層液体３２５を空気などの気体に置き換え、下側ポンプ演出ユニット３５３の吸水口７１５ａの配置箇所を下層液体３２０中から空気などの気体中に置き換え、下側ポンプ演出ユニット３５３は下側ポンプ噴出演出において空気などの気体を給水口７１５ａから取り込んで吐水口７１３ａから下層液体３２０中に噴出するようにしてもよい。
【０１４３】
また、上記した実施形態では、上側ポンプ演出ユニット３５１の作動の禁止期間として、上記の（１）〜（７）の全てであるとしているが、これに限定されるものではない。例えば、上側ポンプ噴出開始時の意図しない上層液体３２５の取り込みを防止したり、上側ポンプ噴出開始から下層液体３２０が噴出されるまでの時間を一定にしたりしたい場面を踏まえて禁止期間を上記の（１）〜（７）の全部または一部としてもよく、例えば禁止期間を上記の（１）〜（５）としてもよい。
【０１４４】
また、上側ポンプ演出ユニット３５１を図１９（ａ），（ｂ）に示す上側ポンプ演出ユニット３５１Ａに置き換えてもよく、上側ポンプ演出ユニット３５１Ａは上記した実施形態における上側ポンプ演出ユニット３５１にガード部材８００を設けた構成となっている。
【０１４５】
ガード部材８００は、水槽デバイス２８を正面から見て逆Ｕ字状をしている（図１９（ａ）参照）。そして、水槽デバイス２８を正面から見て、ガード部材８００の一端側は給水口５１５ａより左側かつ給水口５１５ａより下側にあり、その他端側は給水口５１５ａより右側かつ給水口５１５ａより下側にあり、ガード部材８００が給水口５１５ａと重なり合わず給水口５１５ａより左側、上側、右側に位置するように配置されている（図１９（ａ）参照）。
【０１４６】
また、ガード部材８００は、水槽デバイス２８を正面から見てガード部材８００と管部５０１とが重なり合う領域の全てにおいて、管部５０１の管給水部５１５の前方側から管給水部５１５に当接し、水槽デバイス２８を正面から見て容器３０１の前面蓋３０３とガード部材８００とが重なり合う領域の全てにおいて、容器３０１の前面蓋３０３の後方側から前面蓋３０３に当接するように配置されている（図１９（ｂ）参照）。
【０１４７】
ガード部材８００は、ガード部材８００は給水口５１５ａの下側を除いて給水口５１５ａを取り囲み、管部５０１の管給水部５１５と容器３０１の前面蓋３０３と一体となって給水口５１５ａより容器３０１の底面側に開口部８００ａを形成している。下層液体３２０はガード部材８００により開口部８００ａから給水口５１５ａに流入するようになっている。
【０１４８】
上記した図１９（ａ），（ｂ）の上側ポンプ演出ユニット３５１Ａによると、給水口５１５ａからの下層液体３２０以外の意図しない上層液体３２５の取り込みをより効果的に抑えることができる。
【０１４９】
なお、水槽デバイス２８を正面から見て、ガード部材８００の一端側および多端側は給水口５１５ａの最も容器３０１の天面側の部分よりも容器３０１の底面側に位置するようにガード部材を変形してもよい。
【０１５０】
また、上側ポンプ演出ユニット３５１を図２０（ａ），（ｂ）に示す上側ポンプ演出ユニット３５１Ｂに置き換えてもよく、上側ポンプ演出ユニット３５１Ｂは上記した実施形態における上側ポンプ演出ユニット３５１の管部５０１を逆止弁付の管部５０１Ｂに置き換えた構成となっている。
【０１５１】
逆止弁付の管部５０１Ｂは、逆止弁管部８１１と、管上部８１２と、管下部８１３とを備える。管部５０１Ｂを正面から見て（水槽デバイス２８を正面から見て）、逆止弁管部８１１は、上下方向に延びた内側が略円形の略矩形筒状をしている。また、管部５０１Ｂを正面から見て、管上部８１２は、逆止弁管部８１１の上側から逆止弁管部８１１内に嵌め込まれる上下方向に延びた内側が略円形の略矩形筒状をした筒状部８２１と、筒状部８２１の上端から折れ曲がって容器３０１の左側に向かうように延びた略矩形筒状をし、先端に吐水口８２２ａとしての開口を有する管吐水部８２２とからなる。また、管部５０１Ｂを正面から見て、管下部８１３は、逆止弁管部８１１の下側から逆止弁管部８１１内に嵌め込まれる上下方向に延びた内側が略円形の略矩形筒状をした筒状部８３１と、筒状部８３１の下側に延在した管給水部８３２とからなる。管給水部８３２は上記した実施形態の管部５０１の管給水部５１５と略同じ形状をしており、前面蓋３０３側に給水口（不図示）としての略円形の形状をした開口が設けられているとともに、容器本体３０５側の容器本体３０５の貫通孔３０７に対応する位置に略円形の形状をした開口（不図示）が設けられている。
【０１５２】
管部５０１Ｂを上から見て（水槽デバイス２８を上から見て）、逆止弁管部８１１の内側の形と、管上部８１２の筒状部８２１の外側の形とは同じになっている。また、管部５０１Ｂを上から見て、逆止弁管部８１１の内側の形と、管下部８１３の筒状部８３１の外側の形とは同じになっている。
【０１５３】
また、逆止弁付の管部５０１Ｂは、管下部８１３と管上部８１２との間の逆止弁管部８１１内に入れられた略球状をした球体８４０を備えている。球体８４０の半径は、管下部８１３の筒状部８３１の内側形状の円の半径より大きい。また、球体８４０は、逆止弁管部８１１の内側と球体８４０との間に隙間が生じる大きさになっている。
【０１５４】
上側ポンプ演出ユニット３５１Ｂが、図２０（ａ）の状態において、上側ポンプ噴出演出を開始すると、マグネットタービン部５２１が時計回りに回転して羽部５２１ａにより上方に持ち上げられた下層液体３２０により球体８４０には上方向に力が加えられて、球体８４０は図２０（ｂ）のように浮き上がり、不図示の給水口から吐水口８２２ａにかけての流路が開通する。そして、上側ポンプ噴出演出の開始前から管部５０１Ｂに入っていたまたは上側ポンプ噴出演出後に給水口から管部５０１Ｂに入った下層液体３２０が、管下部８１３、逆止弁管部８１１、管上部８１２を通って、吐水口８２２ａから噴出される。
【０１５５】
上側ポンプ演出ユニット３５１Ｂが、図２０（ｂ）の状態において、上側ポンプ噴出演出を終了すると、上側ポンプ噴出演出の終了時に管部５０１Ｂに入っていた下層液体３２０は吐水口８２２ａ側から不図示の給水口側に逆流しようとするが、球体８４０には重力と逆流による力が働き、図２０（ａ）のように球体８４０は管下部８１３の上端部にまで沈み、吐水口８２２ａから不図示の給水口にかけての逆流の経路が球体８４０により速やかに塞がれる。この図２０（ａ）の状態が上側ポンプ演出ユニット３５１Ｂによる次回の上側ポンプ噴出演出まで継続する。図２０（ａ）の状態では、吐水口８２２ａから不図示の給水口にかけての逆流の経路が速やかになくなるため、下層液体３２０が管部５０１Ｂ内部では管上部８１２の吐水口８２２ａ付近にまで残る。また、球体８４０が管部５０１Ｂの逆止弁管部８１１内の下層液体３２０に沈んで管下部８１３の上端部に位置しているので、管部５０１Ｂ外の下層液体３２０の液面の変動により管部５０１Ｂ内の下層液体３２０が影響を受けて液面が変動しにくく、管部５０１Ｂ内部における下層液体３２０と上層液体３２５との境界と、吐水口８２２ａとの位置関係は逆止弁を設けない場合と比べてより一定になる。
【０１５６】
上記した図２０（ａ），（ｂ）の上側ポンプ演出ユニット３５１Ｂでは、上側ポンプ噴出演出終了後、吐水口８２２ａから不図示の給水口にかけての逆流の経路が球体８４０により速やかに塞がれる。また、球体８４０が管部５０１Ｂの逆止弁管部８１１内の下層液体３２０に沈んで管下部８１３の上端部に位置することによって、管部５０１Ｂ内の下層液体３２０が管部５０１Ｂ外の下層液体３２０の液面の変動の影響を受けて管部５０１Ｂ内の下層液体３２０の液面が変動することが防がれる。このため、下層液体３２０が管部５０１Ｂ内部では管上部８１２の吐水口８２２ａ付近にまで存在し、管部５０１Ｂ内部における下層液体３２０と上層液体３２５との境界と、吐水口８２２ａとの位置関係は逆止弁を設けない場合と比べてより一定になる。従って、上側ポンプ噴出演出の開始から下層液体３２０の吐水口８２２ａからの噴出までの時間が逆止弁を設けない場合と比べてより一定になる。
【０１５７】
また、上記した実施形態では、上側ポンプ演出ユニット３５１の作動を禁止する下層液体３２０の液面が変動するような演出として、下側ポンプ噴出演出、上側ポンプ噴出演出および浮き演出を例に挙げて説明したが、これに限定されるものではなく、例えば、遊技者に水槽デバイス２８を触らせるような演出、浮き演出ユニット３３０以外の容器３０１内に可動構造体が収容された演出ユニットによる演出などであってもよい。なお、容器３０１内に可動構造体が収容された演出ユニットが位置検出手段による位置検出結果に基づいて位置制御が行われるものである場合には、電源投入タイミング（例えば、電断後の電源投入タイミング）に、前面扉５が開いたタイミングや閉じたタイミングに、位置検出手段による位置検出結果に基づいて位置制御を行いながら初期動作（イニシャライズ動作）を行うようにしてもよい。
【０１５８】
また、上記した各実施形態では、本発明の遊技機としてスロットマシン１を例に挙げて説明したが、スロットマシンとパチンコ機とを組み合わせたパロットと称される遊技機に本発明を適用してもよく、このような遊技機に本発明を適用する場合、遊技用価値としての遊技球（パチンコ玉）を採用すればよい。さらに、本発明の遊技機を、コンピュータプログラムが実行されることによるビデオゲームに適用してもよい。また、本発明の表示手段を、液晶ディスプレイやＣＲＴなどの画像表示装置を用いて、この画像表示装置に複数の図柄を順次表示させることにより構成してもよい。また、可変表示列の数は２列以上であればよく、遊技の態様に応じて適宜最適な数の可変表示列を構成すればよい。
【０１５９】
また、上記した実施形態で説明した内容および上記した変形例の内容を適宜組み合わせてもよい。
【０１６０】
そして、特定液体が容器内の一部に存在し、前記特定液体の液面が変動する水槽デバイスを備える遊技機に本発明を広く適用することができる。
【符号の説明】
【０１６１】
１…スロットマシン（遊技機）
２７…液晶表示器
２８…水槽デバイス
２８ａ…浮き用位置検出センサ
２８ｂ…浮き駆動用モータ
２８ｃ…上側ポンプ駆動用モータ
２８ｄ…下側ポンプ駆動用モータ
３０１…容器
３２０…下層液体
３２５…上層液体
３３０…浮き演出ユニット
３５１…上側ポンプ演出ユニット
３５３…下側ポンプ演出ユニット
４０１…浮き部材
４０３…浮きアーム
４０３ａ…第１止め部
４０５…第２止め部
４０７…紐状部材
【図１】
2018134313.tif 000003
【図２】
2018134313.tif 000004
【図３】
2018134313.tif 000005
【図４】
2018134313.tif 000006
【図５】
2018134313.tif 000007
【図６】
2018134313.tif 000008
【図７】
2018134313.tif 000009
【図８】
2018134313.tif 000010
【図９】
2018134313.tif 000011
【図１０】
2018134313.tif 000012
【図１１】
2018134313.tif 000013
【図１２】
2018134313.tif 000014
【図１３】
2018134313.tif 000015
【図１４】
2018134313.tif 000016
【図１５】
2018134313.tif 000017
【図１６】
2018134313.tif 000018
【図１７】
2018134313.tif 000019
【図１８】
2018134313.tif 000020
【図１９】
2018134313.tif 000021
【図２０】
2018134313.tif 000022
【手続補正書】
【提出日】平成29年12月19日(2017.12.19)
【手続補正１】
【補正対象書類名】明細書
【補正対象項目名】０００７
【補正方法】変更
【補正の内容】
【０００７】
上記した目的を達成するために、本発明にかかる遊技機は、特定液体が容器内の一部に存在し、前記特定液体の液面が変動する水槽デバイスを備える遊技機において、前記水槽デバイスは、給水口が前記特定液体中の液面近傍に位置するように前記容器内に設置され、前記特定液体を前記給水口から吐水口へ送り出すことによって前記特定液体を特定位置に噴出させるポンプを備え、前記ポンプは、特定演出に際して前記特定液体の前記特定位置への噴出を行うために作動するものであり、前記ポンプの作動は、前記特定液体の液面が変動するような演出が終了してから、または、前記遊技機の電源が投入されてから、または、前記遊技機の前面扉が閉じられてから、前記特定液体の液面が落ち着くと想定される時間が経過するまでの規定時間内では禁止されていることを特徴としている。
【手続補正２】
【補正対象書類名】特許請求の範囲
【補正対象項目名】請求項１
【補正方法】変更
【補正の内容】
【請求項１】
特定液体が容器内の一部に存在し、前記特定液体の液面が変動する水槽デバイスを備える遊技機において、
前記水槽デバイスは、給水口が前記特定液体中の液面近傍に位置するように前記容器内に設置され、前記特定液体を前記給水口から吐水口へ送り出すことによって前記特定液体を特定位置に噴出させるポンプを備え、
前記ポンプは、特定演出に際して前記特定液体の前記特定位置への噴出を行うために作動するものであり、
前記ポンプの作動は、前記特定液体の液面が変動するような演出が終了してから、または、前記遊技機の電源が投入されてから、または、前記遊技機の前面扉が閉じられてから、前記特定液体の液面が落ち着くと想定される時間が経過するまでの規定時間内では禁止されている
ことを特徴とする遊技機。